(57)【要約】  電源、メモリ、相互接続、及びＬＥＤに関連する小型化技法、システム、及び装置が本明細書に記載される。特に、本発明のいくつかの態様は、電源の小型化技法に関する。他の態様は、コンピュータ装置又はシステムでのメモリ性能を最適化するシステム及び方法に関する。さらに、いくつかの態様は、回路基板上のメモリレイアウトを小型化し最適化するシステム及び方法に関する。他の態様は、ＢＧＡを備えるアダプタを使用してピン配列を備える集積回路を回路基板に取り付けるシステム及び方法に関し、集積回路は回路基板に電気的且つ物理的に取り付けられるように構成される。さらに、いくつかの態様は、単一の単色ＬＥＤのみをアクティブ化することが意図される電気接地出力又は信号を使用して２色ＬＥＤ又は３色ＬＥＤ等の少なくとも１つのマルチカラーＬＥＤのアクティブ化を達成するシステム及び方法に関する。
2014505909.tif 000002
【特許請求の範囲】
【請求項１】
小型化された電源であって、
プリント回路基板と、
前記プリント回路基板の第１の側に配置される第１の能動的構成要素と、
前記プリント回路基板の第２の側に配置される第２の能動的構成要素であって、前記第２の側は前記第１の側と異なり、前記第２の能動的構成要素は前記第１の能動的構成要素に電気的に接続される、第２の能動的構成要素と、
を備える、電源。
【請求項２】
前記第１の能動的構成要素及び前記第２の能動的構成要素は、互いの(each other)真逆(directly opposite)に配置される、請求項１に記載の電源。
【請求項３】
前記第１の能動的構成要素及び前記第２の能動的構成要素は、互いの真逆に配置されて、互いに部分的にのみ重なる、請求項１に記載の電源。
【請求項４】
前記第１の能動的構成要素及び前記第２の能動的構成要素は、バイアを用いて(with a via)互いに電気的に接続される、請求項１に記載の電源。
【請求項５】
前記第１の能動的構成要素と前記第２の能動的構成要素との間のトレース長(trace length)は、前記プリント回路基板の厚さにほぼ等しい、請求項１に記載の電源。
【請求項６】
前記第１の能動的構成要素及び前記第２の能動的構成要素は、遮蔽接続(shielded connection)を通して互いに電気的に接続される、請求項１に記載の電源。
【請求項７】
前記遮蔽接続は、信号導体(signal conductor)及び複数の遮蔽構造を備える、請求項６に記載の電源。
【請求項８】
前記プリント回路基板の前記第１及び第２の側のそれぞれで約２．５ｃｍ２未満を占める、請求項１に記載の電源。
【請求項９】
最適化されたメモリ性能を有するシステムであって、
上側及び下側を有する回路基板と、
前記回路基板に結合されるメモリコントローラと、
前記回路基板に直接はんだ付けされる(soldered)複数のメモリ素子であって、前記メモリ素子のそれぞれは、前記メモリコントローラの約６．４ｃｍ以内に配置され、前記メモリ素子の第１の部分は前記回路基板の前記上側に配置され、前記メモリ素子の第２の部分は前記回路基板の前記下側に配置される、複数のメモリ素子と、
システムクロックと、
前記複数のメモリ素子を前記システムクロックに結合する、ほぼ等距離の２つ以上のクロック線と、
前記メモリ素子のそれぞれを前記メモリコントローラに結合する複数のデータ線と、
を備える、システム。
【請求項１０】
前記メモリ素子のそれぞれの部分は、前記メモリコントローラの約６．４ｃｍ以内である、請求項９に記載のシステム。
【請求項１１】
前記メモリ素子のそれぞれは全体的に、前記メモリコントローラの約６．４ｃｍ以内である、請求項９に記載のシステム。
【請求項１２】
インタポーザであって、
剛性絶縁ケースと、
前記絶縁ケース内に配置される機械加工ピンソケット(pin socket)配列(array)であって、前記機械加工ピンソケット配列内の複数のソケットのそれぞれは、前記絶縁ケースの第１の表面から開くピンレセプタクルを備え、前記複数のソケットのそれぞれは、前記ケースの第２の表面に配置されるはんだ玉を備える、機械加工ピンソケット配列と、
を備える、インタポーザ。
【請求項１３】
前記複数のソケットのそれぞれは、少なくとも２つの内部フィンガ接点を備える、請求項１２に記載のインタポーザ。
【請求項１４】
前記複数のソケットのそれぞれは３〜１０個のフィンガ接点を備える、請求項１２に記載のインタポーザ。
【請求項１５】
前記内部フィンガ接点は弾性を有する、請求項１３に記載のインタポーザ。
【請求項１６】
前記絶縁ケースは、約１ｍｍ〜約８ｍｍの厚さを有するガラス繊維基板を備える、請求項１２に記載のインタポーザ。
【請求項１７】
前記機械加工ピンソケット配列は、適切な向きで集積回路を受けるように適合される、請求項１２に記載のインタポーザ。
【請求項１８】
前記インタポーザのフットプリントのサイズは、前記インタポーザに接続する集積回路のフットプリントのサイズにほぼ等しい、請求項１２に記載のインタポーザ。
【請求項１９】
前記インタポーザは、プリント回路基板の第１の側に電気的に結合され、前記インタポーザに直接電気的に接続しない電気回路が、前記プリント回路基板の第２の側の真逆に配置される、請求項１２に記載のインタポーザ。
【請求項２０】
２色ＬＥＤ電気インジケータシステムであって、
第１の電流方向に従って第１の色を発し、前記第１の電流方向とは逆の第２の電流方向に従って第２の色を発することが可能な２色ＬＥＤであって、前記２色ＬＥＤは第１のリード及び第２のリードも有する、２色ＬＥＤと、
単一の独立単色ＬＥＤに接続され、前記単一の独立単色ＬＥＤのみをアクティブ化させることが意図される第１の電気接地出力を提供する第１の電気線であって、前記第１の電気線は、前記２色ＬＥＤの前記第１のリード及び第１のプルアップ抵抗に接続され、前記第１のプルアップ抵抗は、電流を前記第１の電流方向に提供して、前記第１の色をアクティブ化させる、第１の電気線と、
単一の独立単色ＬＥＤに接続され、前記単一の独立単色ＬＥＤのみをアクティブ化させることが意図される第２の電気接地出力を提供する第２の電気線であって、前記第２の電気線は、前記２色ＬＥＤの前記第２のリード及び第２のプルアップ抵抗に接続され、前記第２のプルアップ抵抗は、電流を前記第２の電流方向に提供して、前記第２の色をアクティブ化させる、第２の電気線と、
を備える、２色ＬＥＤ電気インジケータシステム。
【発明の詳細な説明】
【技術分野】
【０００１】
関連出願の相互参照
本願は、「ＭＩＮＩＴＵＲＩＺＡＴＩＯＮ  ＴＥＣＨＮＩＱＵＥＳ，ＳＹＳＴＥＭＳ，ＡＮＤ  ＡＰＰＡＲＡＴＵＳ  ＲＥＬＡＴＩＮＧ  ＴＯ  ＰＯＷＥＲ  ＳＵＰＰＬＩＥＳ，ＭＥＭＯＲＹ，ＩＮＴＥＲＣＯＮＮＥＣＴＩＯＮＳ，ＡＮＤ  ＬＥＤＳ」という名称で２０１１年６月３日に出願された米国特許出願第１３／１５３，２２４号明細書並びに以下の仮特許出願：「ＭＩＮＩＴＵＲＩＺＥＤ  ＰＯＷＥＲ  ＳＵＰＰＬＹ」という名称で２０１０年６月７日に出願された米国仮出願第６１／３５２，３５９号明細書、「ＳＹＳＴＥＭＳ  ＡＮＤ  ＭＥＴＨＯＤＳ  ＦＯＲ  ＯＰＴＩＭＩＺＩＮＧ  ＭＥＭＯＲＹ  ＰＥＲＦＯＲＭＡＮＣＥ」という名称で２０１０年６月７日に出願された米国仮出願第６１／３５２，３４９号明細書、「ＳＹＳＴＥＭＳ  ＡＮＤ  ＭＥＴＨＯＤＳ  ＦＯＲ  ＰＲＯＶＩＤＩＮＧ  Ａ  ＰＩＮ  ＧＲＩＤ  ＡＲＲＡＹ  ＴＯ  ＢＡＬＬ  ＧＲＩＤ  ＡＲＲＡＹ  ＡＤＡＰＴＯＲ」という名称で２０１０年６月７日に出願された米国仮出願第６１／３５２，３６９号明細書、「ＳＹＳＴＥＭＳ  ＡＮＤ  ＭＥＴＨＯＤＳ  ＦＯＲ  ＡＣＴＩＶＡＴＩＮＧ  ＭＵＬＴＩ−ＣＯＬＯＲ  ＬＩＧＨＴ  ＥＭＩＴＴＩＮＧ  ＤＩＯＤＥＳ」という名称で２０１０年６月７日に出願された米国仮出願第６１／３５２，３７８号明細書の利益を主張するものであり、これらの特許出願及び仮特許出願を参照により本明細書に援用する。
【０００２】
本発明は、電子システム及び構成要素に関する。特に、本発明は、電源、メモリ、相互接続、及びＬＥＤに関連する小型化技法、システム、及び装置に関する。
【背景技術】
【０００３】
コンピュータ等の電子システムは、ますます普遍的になりつつある。例えば、電子システムは、コンピュータを含め、ますます増加する多岐にわたる技術分野で、ますます増加する様々な機能を実行するために、常に利用されている。電子システムの使用及び機能が増大するにつれて、システムの構成要素のいくつかを改良する必要があることが多い。特に、コンピュータ及び他の電子システムが複雑になり、高度化し、小型になるにつれて、システム構成要素のいくつかを小型化するとともに、他の様式で改良する必要がある。この点に関して、電源、メモリ、集積回路、コネクタ、及び発光ダイオード（「ＬＥＤ」）回路が、小型化し、又は他の様式で改良することができるコンピュータ構成要素のいくつかの例である。
【０００４】
電源に関して、電子システムは多くの場合、未処理の入力電力（例えば、商用配電網から供給される交流電流）をシステム内の必要な内部供給電圧（例えば、５ボルト、３．３ボルト等の直流電流電圧）に変換する電源を含む。多くの電子システムは、複数の電圧を必要とするとともに、逓増及び逓減中に電圧の特別なシーケンシングを必要とする構成要素（例えば、集積回路）も含む。
【０００５】
電源は通常、電子システムの必要部分であるが、多くの望ましくない側面を提供し得る。例えば、電源により生成される雑音は電子システムの影響を受けやすい構成要素に伝導又は放射され得、影響を受けやすい構成要素の不適切な動作を生じさせる。したがって、電源設計の難しい側面は、望ましくない雑音が電源から放射されないことを保証することである。他方、近代の電源は多くの場合、雑音の影響を受けやすいことがある複雑な監視回路を含む。監視回路への雑音侵入は、誤ったシャットダウン、不良な調整、及び他の望ましくない影響等の不適切な動作を生じさせるおそれがある。電源は嵩張る傾向も有し、プリント回路基板上の有価値で限られたスペースを使い尽くすおそれがある。
【０００６】
無数の設計要件を満たす難しさにより、多くのシステム設計者は、確立された電源設計手法の変更を渋る。例えば、いくつかの構成要素供給業者は、構成要素の要件を満たすことを目指した基準電源設計を提供する。基準電源設計はコスト又は回路基板面積に関して最適化されていないことがあるにもかかわらず、設計者は多くの場合、単純に構成要素供給業者の基準設計を採用する。供給業者の基準設計は、コスト、面積、又は性能の観点から次善的な解決策を提供し得るが、そのような設計を使用することは、プロジェクト全体へのリスクを低減するのに役立ち得る。
【０００７】
しかし、電子システムがますます小さくなるにつれて、電源により消費されるコスト及びスペースの、電子システム全体に占める割合はますます大きくなった。これは特に、様々な異なる市場をターゲットとする非常に小さなコンピュータシステムで顕著である。例えば、約６５ｃｍ３（約２５立方インチ）のオーダの容積に入るように設計されるコンピュータシステムの場合、基板面積の１０ｃｍ２（約４平方インチ）超を必要とする電源設計は、実用的ではないことがある。したがって、本発明者等は、電源システムの小型化が有益であると認識した。
【０００８】
メモリに関して、今日のコンピュータシステムの大半（すべでとは言わないが）は通常、メモリを含み、メモリは通常、メモリモジュールに保持される。メモリモジュールは通常、いくつかの集積回路（「ＩＣ」）又はチップが１つ又は複数の表面に結合されたプリント回路基板（「ＰＣＢ」）等の回路基板を含む。チップは、パーソナルコンピュータ（「ＰＣ」）等の計算プラットフォームにメモリリソースを提供するメモリ素子である。１種類のメモリモジュールは、ダイナミックランダムアクセスメモリ（「ＤＲＡＭ」）チップを（「ＤＤＲ」）様式で使用する。これらのモジュールは、ＤＲＡＭチップをシングルインラインメモリモジュール（「ＳＩＭＭ」）又はデュアルインラインメモリモジュール（「ＤＩＭＭ」又は「ＤＩＭＭＳ」）として配置する。
【０００９】
回路基板（又はＰＣＢ）は、メモリモジュールを計算プラットフォームに集積するために、マザーボード上のソケットコネクタと互換性を有するコネクタを１つの縁部に沿って有することができる。１種類の技術（ＤＤＲ２  ＤＩＭＭとして知られる）は、２４０本のピンを有する電気コネクタを有する。
【００１０】
ＤＩＭＭＳは、ＰＣＢに結合された複数のＤＲＡＭチップを含む。例えば、いくつかの実施態様は、ＰＣＢに結合された８つのＤＲＡＭチップを含む。これらのＤＲＡＭチップは、伝送線でのデータ破損及びデータ損失を回避する１組の終端抵抗を含む。ＤＩＭＭＳと終端抵抗との組み合わせは、ＰＣＢ上に大きなフットプリントを有し、システムの小型化を制限する。
【００１１】
クロストーク及び線損失は、メモリコントローラとメモリモジュールとの間の線が扇形に広がるか、又は隣接する線間に十分なスペースを有することができるように、メモリモジュールをメモリコントローラ（往々にしてプロセッサに集積される）から離れて配置する必要性により、メモリレイアウトの構成をさらに制限する。一般に、ＤＩＭＭソケット、減結合コンデンサ、及び終端抵抗と合わせて、ＤＲＡＭの物理的なサイズ（通常、１２．５ｍｍよりも大きい）により、メモリモジュール及びメモリコントローラを互いに６．４ｃｍ（２．５インチ）を超えて離れるように配置する必要がある。
【００１２】
これより、集積回路コネクタを参照すると、中央演算処理装置（「ＣＰＵ」）は、様々な様式で回路基板に電気的且つ物理的に接続することができる。実際に、いくつかの場合、ＣＰＵは回路基板に直接はんだ付けされる。しかし、他の場合、ＣＰＵは、ＣＰＵソケットを使用して回路基板に取り付けられる。
【００１３】
ＣＰＵがＣＰＵソケットを使用して回路基板に取り付けられる場合、ＣＰＵソケットは様々な様式で機能することができる。実際に、いくつかの場合、ＣＰＵソケットは、ラッチと、ＣＰＵ上のピン毎の金属接点とを有するプラスチック筐体を備える。そのような場合、ピングリッドアレイ（「ＰＧＡ」）を有するＣＰＵがＣＰＵソケットに挿入され、ラッチが閉じられると、金属接点がＣＰＵのＰＧＡのピンに強制的に接触する。ＣＰＵがランドグリッドアレイ（「ＬＧＡ」）を備え、ＣＰＵソケットが対応するＰＧＡを備える他の場合では、ＣＰＵはＣＰＵソケットに配置され、ラッチがＣＰＵ上に閉じられて、ＣＰＵを定位置に固定し、ＬＧＡをＣＰＵソケット内の対応するＰＧＡに強制的に接触する。
【００１４】
ＣＰＵを回路基板に取り付ける従来の方法は、有用であることが分かっているが、そのような方法は必ずしも欠点がないわけではない。例えば、ＣＰＵが回路基板に直接取り付けられる場合、ＣＰＵ（多くの場合、回路基板の最も高価な構成要素）は、回路基板からの取り外しが非常に困難であり得る。したがって、そのようなＣＰＵが故障した場合、又はユーザがそのようなＣＰＵをアップグレードしたい場合、ＣＰＵを取り外して別のＣＰＵと交換するよりも、回路基板全体を交換するほうが好都合であり得る。
【００１５】
別の例では、ＣＰＵが、ＣＰＵ又はＣＰＵソケットから延び、回路基板を貫通するＰＧＡを使用して回路基板の第１の側に取り付けられる場合、ＣＰＵは、構成要素が基板の逆側のＣＰＵの真裏に配置することを邪魔し得る。換言すれば、基板を貫通するＰＧＡを使用して回路基板に取り付けられるＣＰＵは、ＣＰＵが厳密に基板の片側に取り付けられる場合に必要なよりも多くのリアルエステートを必要とし得る。
【００１６】
さらに別の例では、ＣＰＵが従来のＣＰＵソケットを使用して回路基板に取り付けられるいくつかの場合、ＣＰＵソケットは、そのレバーと共に、ＣＰＵよりも大きなフットプリントを有する傾向がある。したがって、この例では、ＣＰＵソケットは、回路基板上で過度のリアルエステートを占有し得、これは、スペースが制限要因である用途では有害であり得る。
【００１７】
さらに別の例では、ＣＰＵがＣＰＵソケットを使用して回路基板に取り付けられるいくつかの場合では、ＣＰＵソケットの金属接点が、製造プロセス中、ＣＰＵのＰＧＡの挿入中、又は回路基板が使用中に衝撃及び振動に曝される際に破損し得る。この破損の結果、ＣＰＵソケットは、ＣＰＵのピンのうちの１つ又は複数との電気接続を失い、それにより、ＣＰＵが故障又は不適切に機能することになり得る。
【００１８】
これよりＬＥＤを参照すると、ＬＥＤは、可視波長（又はカラー）スペクトル並びに紫外線波長及び赤外線波長にわたり高強度光を発することが可能なますます普遍的になっている半導体光源である。ＬＥＤは、低エネルギー消費、長寿命、向上した頑丈さ、小サイズ、高速切り替え、並びに耐久性及び信頼性を含め、従来の光源よりも優れた多くの利点を提示することができる。その結果、ＬＥＤは頻繁に電子装置のインジケータランプとして使用され、航空機照明、自動車照明、交通信号照明、テキスト及び／又はビデオ表示照明、センサ照明、サイン又は他の視覚的及び／又は情報表示装置照明、間接照明、直接照明、並びに動作可能なプリントヘッド照明での従来の光源の交換を含め、多くの多様な用途でますます使用されている。
【００１９】
電子工学では、ダイオードは、最も単純な種類の半導体素子の１つであり、電流を一方向（ダイオードの「正」方向と呼ばれる）のみで伝導させる２端子電子構成要素を備える。一般に言えば、半導体は、電流を伝導させる可変能力を有する材料である。大半のＬＥＤは、不純物がドープされて、各端部に電極又はリードとのｐ−ｎ接合を生み出す「半導体材料のチップからなる。ｐ−ｎ接合は一般に、片側に、負電荷キャリア（電子）を含み、ｎ型領域になる領域を有する単一の半導体からなり、その一方で、他方の側の領域は正電荷キャリア（正孔）を含み、ｐ型領域になる。「接合」という用語は、半導体の２つの領域が出会う境界面を指す。動作に当たり、電流はｐ型側（陽極）からｎ型側（陰極）への方向に流れる。発せられる光の波長ひいてはその色は、ｐ−ｎ接合を形成する材料のバンドギャップエネルギーに依存する。
【００２０】
基本的なＬＥＤ回路は、ＬＥＤの給電に使用される電力回路である。基本的なＬＥＤ回路は、直接接続された２つの構成要素：電流制限抵抗及びＬＥＤに給電する電圧源からなる。ＬＥＤ回路は、正電圧源及び負電圧源のそれぞれが適切なＬＥＤ電極又はリードに接続された場合に給電され、光を生成する。
【００２１】
Ｅｔｈｅｒｎｅｔ（登録商標）は、開放型システム間相互接続（「ＯＳＩ」）ネットワーキングモデルの物理層のいくつかの配線及びシグナリング規格並びにデータリンク層での共通アドレッシング形式及び媒体アクセス制御を定義する広く導入されているローカルエリアネットワーク（「ＬＡＮ」）技術である。Ｅｔｈｅｒｎｅｔ（登録商標）インタフェースを使用して、多くのコンピュータ装置が、ＬＡＮを介して互いに通信することができる。Ｅｔｈｅｒｎｅｔ（登録商標）は、ＩＥＥＥ８０２．３として標準化されている。
【００２２】
上述したように、ＬＥＤは電子装置のインジケータランプとして一般に使用されている。例えば、Ｅｔｈｅｒｎｅｔ（登録商標）ポートは一般に、２つのインジケータＬＥＤを備える。一方のＬＥＤは多くの場合、Ｅｔｈｅｒｎｅｔ（登録商標）ポートでの活動（「ＡＣＴ信号」）を示し、その一方で、他方のＬＥＤはＥｔｈｅｒｎｅｔ（登録商標）リンクの速度（速度信号）（例えば、１０Ｍｂ、１００Ｍｂ、又は１０００Ｍｂ等）を示す。一般に、活動を示すインジケータＬＥＤは、ポートがアクティブ（すなわち、送信中又は受信中）である場合、明滅する。他方、速度を示すＬＥＤは多くの場合、Ｅｔｈｅｒｎｅｔ（登録商標）リンクの速度に応じて照明するか、又はオフであるかのいずれかである（例えば、１０Ｍｂの場合にはオフであり、１００Ｍｂの場合には照明される等）。
【００２３】
一般に、Ｅｔｈｅｒｎｅｔ（登録商標）ポートは、ＰＣＢに配置されるＥｔｈｅｒｎｅｔ（登録商標）チップに接続され、Ｅｔｈｅｒｎｅｔ（登録商標）チップにより駆動される。チップはＥｔｈｅｒｎｅｔ（登録商標）のインジケータＬＥＤも動作させることができる。Ｂｒｏａｄｃｏｍ  Ｃｏｒｐ．製のチップのいくつか等のいくつかのＥｔｈｅｒｎｅｔ（登録商標）チップは、製造プロセス中にチップに組み込まれる内部回路を有し、この内部回路は、Ｅｔｈｅｒｎｅｔ（登録商標）リンクの速度に基づいて速度信号を自動的に生成し、それに従って適切なＥｔｈｅｒｎｅｔ（登録商標）ポートインジケータＬＥＤをアクティブ化する。多くの場合、２色ＬＥＤが、そのようなチップに関連して使用される。２色ＬＥＤは実際には、１つのケース又はレンズ内に収容された２つの異なるＬＥＤである。２色ＬＥＤは、同じ２本のリードに互いに逆平行に接続された２つの半導体ダイからなる。一方向での電流の流れは１色を生成し、逆方向での電流の流れは他方の色を生成する。そのような内部回路及び２色ＬＥＤを有するチップの組み合わせにより、３つの別個の速度範囲を自動的に視覚的に表示することができる。例えば、１０Ｍｂでは、２色ＬＥＤはオフであり、１００Ｍｂでは、２色ＬＥＤは緑等の１色であり、１０００Ｍｂでは、２色ＬＥＤはアンバー等の代替の色である。
【発明の概要】
【発明が解決しようとする課題】
【００２４】
したがって、電源、メモリ、ＩＣコネクタ、及びＬＥＤ回路の使用に関連する技術が現在存在するが、難問がなお存在する。したがって、現在の技法を強化し、又はさらには他の技法で置換することが当分野での改良である。
【課題を解決するための手段】
【００２５】
本発明は、電子システム及び構成要素に関する。特に、本発明は、電源、メモリ、相互接続、及びＬＥＤに関連する小型化技法、システム、及び装置に関する。
【００２６】
本発明のいくつかの態様は電源に関する。特に、いくつかの実施態様では、本発明は、ＰＣＢ（又は他の回路基板）を含む小型化電源に関する。そのような実施態様では、第１の能動的構成要素がＰＣＢの第１の側に配置される。第２の能動的構成要素が、ＰＣＢの第２の側に配置され、第１の能動構成要素に電気的に接続される。第１の側及び第２の側は互いに異なる。
【００２７】
いくつかの実施態様では、小型化電源を製造する方法が提供される。この方法は、電源の設計概略を得ることを含み、設計概略は複数の電子構成要素を備える。電子構成要素のうちのいくつかは能動的構成要素であることができる。この方法での追加の動作は、ＰＣＢの第１の側の位置を能動的構成要素のうちの第１の構成要素に選択し、ＰＣＢの第２の側の位置を能動的構成要素のうちの第２の構成要素に選択することである。第１の側及び第２の側は互いに異なる。複数の能動的構成要素のうちの第２の構成要素の位置は、複数の能動的構成要素のうちの第１の構成要素の位置に関して選択される。この方法は、複数の電子構成要素間の相互接続を定義することを含むこともでき、相互接続はトレース及びバイアを含み、ＰＣＢレイアウトを形成する。
【００２８】
本発明のいくつかの態様はメモリに関する。特に、本発明のいくつかの態様は、コンピュータ装置又はシステムでのメモリ性能を最適化するシステム及び方法に関する。さらに、本発明のいくつかの態様は、回路基板上のメモリレイアウトを小型化し最適化するシステム及び方法に関する。
【００２９】
本システム及び方法の実施態様は、メモリ及びメモリコントローラの性能の強化及びレイアウトの小型化を可能にし得る。したがって、いくつかの態様では、上側及び下側を有する回路基板が提供される。メモリコントローラは、複数のメモリ素子と共に回路基板に結合される。機能を向上させ、フットプリントを低減するために、メモリ素子は、基板の上側及び下側の両方で回路基板に直接はんだ付けされる（又は他の様式で電気的に接続される）。このようにして、各メモリ素子をメモリコントローラの約６．４ｃｍ（約２．５インチ）以内に配置することができる。はんだ付けは、システムに故障点を生み出すおそれがあるＤＩＭＭソケットよりも頑強な接続を提供することもできる。したがって、ＤＩＭＭの除去は、ＰＣＢのリアルエステートを解放し、システム性能を増大させることができる。
【００３０】
いくつかの実施態様では、代表的なシステムは、クロック線を介して複数のメモリ素子のそれぞれに電子的に結合されるシステムクロックをさらに含む。複数の電子結合クロック線のそれぞれはおおよそ等しい長さであり、同時クロック信号をメモリ素子に提供する。さらに、いくつかの実施態様では、複数のメモリ素子のそれぞれは、別個のデータ線を介してメモリコントローラに電子的に結合される。この直接接続により、データ線上の終端抵抗の必要性がなくなり、メモリシステムのフットプリントをさらに低減する。さらに、いくつかの実施態様では、代表的なシステムは、メモリコントローラ及び複数のメモリ素子のそれぞれと電子通信するアドレス線を含む。
【００３１】
いくつかの実施態様では、代表的な方法は、複数のメモリ素子をＰＣＢに直接はんだ付けすることを提供する。いくつかの場合、これは、複数のメモリ素子のそれぞれをメモリコントローラから約６．４ｃｍ（約２．５インチ）以内に配置することを含む。これは、ＰＣＢの上面にメモリ素子の少なくとも１つを配置し、その一方で、メモリ素子の少なくとも１つを下面に配置することを含む。いくつかの実施態様では、メモリ素子の半分はＰＣＢの上面に配置され、残り半分はＰＣＢの下面に配置される。いくつかの実施態様では、代表的な方法は、別個のデータ線を介して各メモリ素子をメモリコントローラに電子的に結合することをさらに提供する。いくつかの実施態様では、代表的な方法は、複数の等距離のクロック線を介して各メモリ素子をシステムクロックに電子的に結合することをさらに提供する。
【００３２】
いくつかの実施態様では、本システム及び方法は、ＰＣＢレイアウトを小型化し、システムのコストを実質的に低減しながら、より高いメモリ性能レベルの両方を可能にする。これらの結果は、部分的にはＤＩＭＭコネクタソケットを、メモリ素子をＰＣＢの両側でＰＣＢに直接はんだ付けすることで置換することにより可能になる。ＤＩＭＭコネクタソケットがないことにより、ＰＣＢのリアルエステートを解放し、ＤＩＭＭ終端抵抗の必要性を回避することができ、これにより、追加のリアルエステートを解放することができる。さらに、いくつかの場合、ＤＩＭＭソケットを使用してメモリ拡張性を提供するよりもむしろ、ＰＣＢに固定される最大システムメモリを含むほうが、機能的に有利であり、且つ安価である。はんだ付けされたメモリ素子は、ＤＩＭＭソケットよりも強化された耐衝撃性及び耐ショック性を有することができ、それにより、より厳しい環境に組み込むことができるロックタイトシステムを提供しながら、装置が故障する可能性を低減する。さらに、拡張性の除去及び線損失の低減により、システム設計者は、メモリ素子の性能を最適化することができ、メモリ素子に最高レベルで実行させ、コストを増大させずにシステム性能を増大させる。
【００３３】
これよりＩＣコネクタを参照すると、本発明のいくつかの態様はＩＣ相互接続に関する。特に、本発明のいくつかの態様は、ＩＣ素子を回路基板に取り付けるシステム及び方法に関する。特に、本発明のいくつかの態様は、アダプタを使用してピン配列を備えるＩＣを回路基板に取り付けるシステム及び方法に関し、アダプタはボールグリッド配列を備え、回路基板に電気的且つ物理的に取り付けられるように構成される。
【００３４】
一般に、アダプタ又はインタポーザは、内部に配置された機械加工ピンソケット配列を有する剛性絶縁ケースを含む。ケースは任意の適した特徴を有することができるが、いくつかの場合、ケースはほぼ平坦な第１の表面と、ほぼ平坦な第２の表面とを有し、第２の表面は第１の表面の逆に配置される。いくつかの場合、機械加工ピンソケット配列内のピンソケットのうちの１つ又は複数は、ケースの第１の表面で開くピンレセプタクルと、ケースの第２の表面に配置されるはんだ玉とを有する。さらに、いくつかの場合、複数のソケットのそれぞれは、２つ以上の内部弾性フィンガ接点を含む。したがって、アダプタは、ボールグリッド配列を介してＰＧＡを有する集積回路を回路基板に電気的に接続するように構成される。
【００３５】
本発明の方法及びプロセスは、ＣＰＵをＰＣＢに物理的且つ電気的に接続する分野で特に有用であることが証明されているが、これらの方法及びプロセスを様々な異なる用途で、ＰＧＡを備える任意の他の適した集積回路を回路基板に取り付ける様々な異なる製造分野で使用可能なことを当業者は理解することができる。実際に、いくつかの非限定的な例によれば、記載のシステム及び方法は、半導体パッケージ、メモリチップ、プロセッサチップ、ノースブリッジ、サウスブリッジ、及び／又は任意の他の適したＩＣを対応する回路基板に電気的且つ物理的に接続する。
【００３６】
最後に、本発明のいくつかの態様はＬＥＤ回路に関する。特に、いくつかの態様は、単一の単色ＬＥＤのみをアクティブ化させることが意図される複数の電気接地出力又は信号を使用して、２色ＬＥＤ又は３色ＬＥＤ等の少なくとも１つのマルチカラーＬＥＤのアクティブ化を達成するシステム及び方法に関する。
【００３７】
本発明のそのような態様の実施は、２色ＬＥＤ又は３色ＬＥＤ等の少なくとも１つのマルチカラーＬＥＤに関連して行われ、マルチカラーＬＥＤは、ＬＥＤの構成要素材料及び構造により決まる別個の各色を、ユーザが望む情報又はユーザにより定義された状態の視覚的表現又は表示として発することが可能なように電気的に接続される。少なくとも１つの実施態様では、２色ＬＥＤ電気インジケータシステムは２色ＬＥＤを含む。そのような実施態様では、ＬＥＤは２つの色：一方向での電流の流れによる第１の色及び逆方向での電流の流れによる第２の色を発することが可能である。すべてのダイオードと同様に、２色ＬＥＤは２つのリード又は電気端子を含む。しかし、電流が一方向に流れる場合、適切なダイオードに対して、一方のリードは陰極として挙動し、その間、他方のリードは陽極として挙動する。電流が逆になると、他方のダイオードに対して、前は陰極であったリードは陽極として挙動し、前は陽極であったリードは陰極として挙動する。
【００３８】
２色ＬＥＤに加えて、上記システムのいくつかの実施態様は、電気接地出力を提供する第１の電気線を含む。そのような実施態様では、出力は通常、単一の独立した単色ＬＥＤのみに接続され、アクティブ化させることが意図される。しかし、第１の電気線は、２色ＬＥＤの一方のリード及びプルアップ抵抗に接続される。プルアップ抵抗は、２色ＬＥＤの２つの可能な色のうちの一方をアクティブ化させるのに適切な方向での電流の流れを提供する。
【００３９】
ＬＥＤ回路に関する本発明のいくつかの実施態様は、上述した第１の出力と同様の電気接地出力を提供する第２の電気線も含む。同様にして、第２の電気線は、２色ＬＥＤの他方のリード及び別のプルアップ抵抗に接続される。プルアップ抵抗は、２色ＬＥＤの２つの可能な色のうちの他方をアクティブ化させるのに適切な方向での電流の流れを提供する。このようにして、２色ＬＥＤの２つの別個の色を両方とも、適切な電気出力又は信号に従って別個の時間にアクティブ化させることができる。
【００４０】
本発明の方法、プロセス、システム、及び装置は、個人計算企業の分野で特に有用であることが証明されているが、本発明の方法、プロセス、システム、及び装置を様々な異なる用途で、電子システムを利用する任意の産業の企業を含め、カスタマイズ可能な企業をもたらす様々な異なる製造分野で使用可能なことを当業者は理解しよう。そのような産業の例としては、自動車産業、航空機産業、油圧制御産業、オート／ビデオ制御産業、通信産業、医療産業、特殊用途産業、及び電子消費者装置産業が挙げられるが、これらに限定されない。したがって、本発明の方法、プロセス、システム、及び装置は、従来は現在のコンピュータ及び電子技法により未開発であった市場を含む市場に改良（巨大な計算力等）を提供することができる。
【００４１】
本発明のこれら及び他の特徴及び利点が、以下の説明及び添付の特許請求の範囲に記載され、又はそれらから十分に明らかになろう。特徴及び利点は、添付の特許請求の範囲において特に指摘される手段及び組み合わせにより実現し取得し得る。さらに、本発明の特徴及び利点は、本発明の実施により学習し得、又は以下に記載の説明から明らかになろう。
【００４２】
本発明の上記及び他の特徴及び利点が得られる様式のために添付図面に示される本発明の特定の実施形態を参照することにより、本発明のより具体的な説明を行う。図面が本発明の典型的な実施形態のみを示し、したがって、本発明の範囲の限定として考えられるべきではないことを理解して、本発明について、添付図面を使用してさらに具体的且つ詳細に記載し説明する。
【図面の簡単な説明】
【００４３】
【図１】本発明の使用に適した動作環境を提供する代表的なシステムを示す。
【図２】本発明の実施形態に関連付けて使用し得る代表的なネットワーク化システム構成を示す。
【図３】ＰＣＢの片側に搭載された構成要素を有する電源の代表的な実施形態の側面図を示す。
【図４】ＰＣＢの両側に搭載された能動的構成要素を有する小型化電源の代表的な実施形態の側面図を示す。
【図５】本発明の代表的な実施形態による小型化電源に使用することができる遮蔽トレースの側面図を示す。
【図６】本発明の代表的な実施形態による小型化電源のＰＣＢ設計の上面図を示す。
【図７】本発明の代表的な実施形態による小型化電源を製造する方法のフローチャートを示す。
【図８】本発明の代表的な実施形態によるメモリシステムレイアウトの斜視図を示す。
【図９】本発明の代表的な実施形態によるメモリシステム及びシステムデータ線の上面図を示す。
【図１０】本発明の代表的な実施形態によるシステムクロック線のブロック線図を示す。
【図１１】本発明の代表的な実施形態によるメモリシステムレイアウト及びシステムアドレス線の上面図を示す。
【図１２】本発明の代表的な実施形態によるメモリ性能を最適化する方法のブロック図を示す。
【図１３】本発明の代表的な実施形態によるボールグリッド配列アダプタへのピングリッド配列の概略上面図を示す。
【図１４】本発明の代表的な実施形態によるボールグリッド配列アダプタへのピングリッド配列アダプタの概略側面図を示す。
【図１５】本発明の代表的な実施形態によるケース内に配置された機械加工ピンソケットの断面図を示す。
【図１６】アダプタがＰＣＢ上に配置された、本発明の代表的な実施形態によるボールグリッド配列へのピングリッド配列の上面図を示す。
【図１７】本発明の代表的な実施形態による代表的な２色ＬＥＤ電気回路を示す。
【図１８】ＬＥＤ回路のいくつかの実施形態でのＰＣＢレイアウトの代表的な実施形態の概略図を示す。
【発明を実施するための形態】
【００４４】
本発明は電子システム及び構成要素に関する。特に、本発明は、電源、メモリ、相互接続、及びＬＥＤに関連する小型化技法、システム、及び装置に関する。
【００４５】
本開示及び特許請求の範囲では、配列という用語は、複数の隣接した行及び複数の隣接した列を備える任意の適した構成を指し得る。
【００４６】
本発明の以下の開示は、５つの副見出し、すなわち、「代表的な動作環境」、「電源」、「メモリ」、「ＩＣコネクタ」、及び「論理チップ／ＬＥＤ接続」にまとめられる。副見出しの利用は、単に読み手の便宜のためであり、決して限定として解釈されるべきではない。
【００４７】
代表的な動作環境
図１及び対応する考察は、本発明の実施形態による適した動作環境の概説を提供することを目的とする。さらに後述するように、本発明の実施形態は、後述するように、ネットワーク化された構成又は結合構成を含め、様々なカスタマイズ可能な企業構成での１つ又は複数の動的モジュラー処理ユニットの使用を含む。
【００４８】
本発明の実施形態は１つ又は複数のコンピュータ可読媒体を含み、各媒体は、データ若しくはデータを操作するコンピュータ実行可能命令を含むように構成し得、又はそのようなデータ若しくはコンピュータ実行可能命令を含む。コンピュータ実行可能命令は、データ構造、オブジェクト、プログラム、ルーチン、又は様々な異なる機能を実行可能な汎用モジュラー処理ユニットに関連するか、若しくは限られた数の機能を実行可能な専用モジュラー処理ユニットに関連するような、１つ若しくは複数のプロセッサがアクセスし得る他のプログラムモジュールを含む。
【００４９】
コンピュータ実行可能命令は、企業の１つ又は複数のプロセッサに、特定の機能又は機能群を実行させ、処理方法のステップを実施するプログラムコード手段の例である。さらに、特定の順序の実行可能命令は、そのようなステップの実施に使用し得る対応する動作の例を提供する。
【００５０】
コンピュータ可読媒体の例としては、ランダムアクセスメモリ（「ＲＡＭ」）、読み取り専用メモリ（「ＲＯＭ」）、プログラマブル読み取り専用メモリ（「ＰＲＯＭ」）、消去可能プログラマブル読み取り専用メモリ（「ＥＰＲＯＭ」）、電気的に消去可能なプログラマブル読み取り専用メモリ（「ＥＥＰＲＯＭ」）、コンパクトディスク読み取り専用メモリ（「ＣＤ−ＲＯＭ」）、任意の固体状態記憶装置（例えば、フラッシュメモリ、スマートメディア等）、又は処理ユニットがアクセスし得るデータ若しくは実行可能命令を提供可能な任意の他の装置若しくは構成要素が挙げられる。
【００５１】
図１を参照すると、代表的な企業は、汎用又は専用処理ユニットとして使用し得るモジュラー処理ユニット１０を含む。例えば、モジュラー処理ユニット１０は、単独で利用してもよく、又はパーソナルコンピュータ、ノート型コンピュータ、個人情報端末（「ＰＤＡ」）若しくは他のハンドヘルド装置、ワークステーション、ミニコンピュータ、メインフレーム、スーパーコンピュータ、マルチプロセッサシステム、ネットワークコンピュータ、プロセッサに基づく消費者装置、セルラ電話、スマート家電若しくは装置、制御システム等として、１つ若しくは複数の同様の処理ユニットと共に利用してもよい。複数の処理ユニットを同じ企業内で使用することにより、処理能力の増大が提供される。例えば、企業の各処理ユニットを特定のタスク専用にしてもよく、又は各処理ユニットがまとまって分散処理に参加してもよい。
【００５２】
図１では、モジュラー処理ユニット１０は、１つ又は複数のバス及び／又は相互接続１２を含み、バス及び／又は相互接続１２は、様々な構成要素を接続するように構成し得、２つ以上の構成要素間でデータを交換できるようにする。バス／相互接続１２は、メモリバス、周辺バス、又は任意の様々なバス構造を使用するローカルバスを含む様々なバス構造の１つを含み得る。バス／相互接続１２により接続される典型的な構成要素としては、１つ又は複数のプロセッサ１４及び１つ又は複数のメモリ１６が挙げられる。以下、「データ操作システム１８」と呼ばれる論理、１つ若しくは複数のシステム、１つ若しくは複数のサブシステム、及び／又は１つ若しくは複数のＩ／Ｏインタフェースを使用して、他の構成要素もバス／相互接続１２に選択的に接続し得る。さらに、論理、１つ若しくは複数のシステム、１つ若しくは複数のサブシステム、及び／又は１つ若しくは複数のＩ／Ｏインタフェースを使用して、他の構成要素を外部からバス／相互接続１２に接続してもよく、且つ／又は他の構成要素が、１つ若しくは複数のモジュラー処理ユニット３０及び／又はプロプライエタリ装置３４等の論理、１つ若しくは複数のシステム、１つ若しくは複数のサブシステム、及び／又は１つ若しくは複数のＩ／Ｏインタフェースとして機能してもよい。Ｉ／Ｏインタフェースの例としては、１つ又は複数の大容量記憶装置インタフェース、１つ又は複数の入力インタフェース、１つ又は複数の出力インタフェース等が挙げられる。したがって、本発明の実施形態は、１つ若しくは複数のＩ／Ｏインタフェースを使用する能力及び／又は利用される論理若しくは他のデータ操作システムに基づいて製品の有用性を変更する能力を含む。
【００５３】
論理は、インタフェース、システムの部分、サブシステムに結びつけてもよく、且つ／又は特定のタスクの実行に使用されてもよい。したがって、論理又は他のデータ操作システムは、例えば、ＩＥＥＥ１３９４（ファイアワイヤ）を可能にし得、その場合、論理又は他のデータ操作システムはＩ／Ｏインタフェースである。代替又は追加として、モジュラー処理ユニットを別の外部システム又はサブシステムに結びつけられるようにする論理又は他のデータ操作システムを使用し得る。例えば、特別なＩ／Ｏ接続を含むこともあれば、含まないこともある外部システム又はサブシステム。代替又は追加として、外部Ｉ／Ｏに論理が関連付けられない論理又は他のデータ操作システムを使用し得る。本発明の実施形態は、車両のＥＣＵ、油圧制御システム等の特殊論理及び特定のハードウェアの制御方法をプロセッサに通知する論理の使用も含む。さらに、本発明の実施形態が、論理、システム、サブシステム、及び／又はＩ／Ｏインタフェースを利用する沢山の異なるシステム及び／又は構成を包含することを当業者は理解しよう。
【００５４】
上に提供したように、本発明の実施形態は、１つ若しくは複数のＩ／Ｏインタフェースを使用する能力及び／又は利用される論理若しくは他のデータ操作システムに基づいて製品の有用性を変更する能力を含む。例えば、モジュラー処理ユニットが、１つ又は複数のＩ／Ｏインタフェースと、デスクトップコンピュータとして使用するように設計された論理とを含む個人計算システムの部分である場合、２つの標準ＲＣＡを介してアナログオーディオを取得し、ＩＰアドレスにブロードキャストしたい音楽局へのオーディオ符号化を実行するフラッシュメモリ又は論理を含むように、論理又は他のデータ操作システムを変更することができる。したがって、モジュラー処理ユニットは、モジュラー処理システムのバックプレーン上のデータ操作システム（例えば、論理、システム、サブシステム、Ｉ／Ｏインタフェース等）に対して行われた変更により、コンピュータシステムではなく家電として使用されるシステムの部分であり得る。したがって、バックプレーン上のデータ操作システムの変更により、モジュラー処理ユニットの用途を変更することができる。したがって、本発明の実施形態は非常に適応性の高いモジュラー処理ユニットを含む。
【００５５】
上に提供したように、処理ユニット１０は、中央プロセッサ（又はＣＰＵ）等の１つ又は複数のプロセッサ１４と、任意選択的に、特定の機能又はタスクを実行するように設計された１つ又は複数の他のプロセッサとを含む。通常、メモリ１６、磁気ハードディスク、リムーバブル磁気ディスク、磁気カセット、光ディスク等のコンピュータ可読媒体に提供されるか、又は通信接続からの命令を実行するのはプロセッサ１４であり、通信接続はコンピュータ可読媒体として見ることもできる。
【００５６】
メモリ１６は、データ若しくはデータを操作する命令を含むように構成し得るか、又はそのようなデータ若しくは命令を含み、バス／相互接続１２を通してプロセッサ１４がアクセス可能な１つ又は複数のコンピュータ可読媒体を含む。メモリ１６は、例えば、情報を永久的に記憶するために使用されるＲＯＭ２０及び／又は情報を一時的に記憶するために使用されるＲＡＭ２２を含み得る。ＲＯＭ２０は、モジュラー処理ユニット１０のスタートアップ中等に通信を確立するために使用される１つ又は複数のルーチンを有する基本入／出力システム（「ＢＩＯＳ」）を含み得る。動作中、ＲＡＭ２２は、１つ又は複数のオペレーティングシステム、アプリケーションプログラム、及び／又はプログラムデータ等の１つ又は複数のプログラムモジュールを含み得る。
【００５７】
示されるように、本発明の少なくともいくつかの実施形態は、ユニットを様々な異なる用途で使用できるようにするよりロバストな処理ユニットを提供する非周辺ケースを含む。図１では、１つ又は複数の大容量記憶装置インタフェース（データ操作システム１８として示される）を使用して、１つ又は複数の大容量記憶装置２４をバス／相互接続１２に接続し得る。大容量記憶装置２４は、モジュラー処理ユニット１０の周辺にあり、モジュラー処理ユニット１０が大量のデータを保持できるようにする。大容量記憶装置の例としては、ハードディスクドライブ、磁気ディスクドライブ、テープドライブ、及び光ディスクドライブが挙げられる。
【００５８】
大容量記憶装置２４は、磁気ハードディスク、リムーバブル磁気ディスク、磁気カセット、光ディスク、又は別のコンピュータ可読媒体と読み出し及び／又は書き込みを行い得る。大容量記憶装置２４及び対応するコンピュータ可読媒体は、データ並びに／或いはオペレーティングシステム、１つ又は複数のアプリケーションプログラム、他のプログラムモジュール、又はプログラムデータ等の１つ又は複数のプログラムモジュールを含み得る実行可能命令の不揮発性記憶を提供する。そのような実行可能命令は、本明細書に開示される方法のステップを実施するプログラムコード手段の例である。
【００５９】
データ操作システム１８を利用して、１つ又は複数の対応する周辺Ｉ／Ｏ装置２６を通して、データ及び／又は命令をモジュラー処理ユニット１０と交換できるようにし得る。周辺Ｉ／Ｏ装置２６の例としては、キーボード等の入力装置及び／又はマウス、トラックボール、ライトペン、スタイラス若しくは他のポインティングデバイス、マイクロフォン、ジョイスティック、ゲームパッド、パラボラアンテナ、スキャナ、カムコーダ、デジタルカメラ、センサ等の代替の入力装置、並びに／或いはモニタ若しくは表示画面、スピーカ、プリンタ、制御システム等の出力装置が挙げられる。同様に、周辺Ｉ／Ｏ装置２６をバス／相互接続１２に接続するために使用し得る専用論理に結合されたデータ操作システム１８の例としては、シリアルポート、パラレルポート、ゲームポート、ユニバーサルシリアルバス（「ＵＳＢ」）、ファイアワイヤ（ＩＥＥＥ１３９４）、無線受信器、ビデオアダプタ、オーディオアダプタ、パラレルポート、無線送信器、任意の並列又は直列化Ｉ／Ｏ周辺装置又は別のインタフェースが挙げられる。
【００６０】
データ操作システム１８は、１つ又は複数のネットワークインタフェース２８を介して情報を交換できるようにする。ネットワークインタフェース２８の例としては、情報を処理ユニット間で交換できるようにする接続、ローカルエリアネットワーク（「ＬＡＮ」）に接続するためのネットワークアダプタ若しくはモデム、無線リンク、又はインターネット等の広域ネットワーク（「ＷＡＮ」）に接続するための別のアダプタが挙げられる。ネットワークインタフェース２８は、モジュラー処理ユニット１０に組み込まれてもよく、又はモジュラー処理ユニット１０の周辺にあってもよく、ＬＡＮ、無線ネットワーク、ＷＡＮ、及び／又は処理ユニット間の任意の接続に関連付け得る。
【００６１】
データ操作システム１８は、モジュラー処理ユニット１０が１つ又は複数の他のローカル又はリモートモジュラー処理ユニット３０又はコンピュータ装置と情報を交換できるようにする。モジュラー処理ユニット１０とモジュラー処理ユニット３０との接続は、ハードワイヤードリンク及び／又は無線リンクを含み得る。したがって、本発明の実施形態は、直接バス−バス接続を含む。これにより、大規模なバスシステムの作成が可能になる。これは、企業の直接バス−バス接続により、現在知られているハッキングもなくす。さらに、データ操作システム１８は、モジュラー処理ユニット１０が、１つ若しくは複数のプロプライエタリＩ／Ｏ接続３２及び／又は１つ若しくは複数のプロプライエタリ装置３４と情報を交換できるようにする。
【００６２】
処理ユニットがアクセス可能なプログラムモジュール又はその部分は、リモートメモリ記憶装置に記憶し得る。さらに、ネットワーク化されたシステム又は結合構成では、モジュラー処理ユニット１０は、分散計算環境に参加し得、分散計算環境では、機能又はタスクが複数の処理ユニットにより実行される。或いは、結合構成／企業の各処理ユニットは、特定のタスク専用であってもよい。したがって、例えば、企業の１つの処理ユニットはビデオデータ専用であり、それにより、従来のビデオカードに取って代わることができ、従来の技法よりも優れたそのようなタスクを実行する増大した処理能力を提供する。
【００６３】
本発明を多くの種類のコンピュータシステム構成を有するネットワーク化された計算環境で実施し得ることを当業者は理解するが、図２は、ネットワークを介してサーバに接続されたクライアントを含むネットワーク化環境での本発明の実施形態を表す。図２は、ネットワークに接続された２つのクライアントを含む実施形態を示すが、代替の実施形態は、ネットワークに接続された１つのクライアント又はネットワークに接続された多数のクライアントを含む。さらに、本発明による実施形態は、ネットワークに接続された世界全体にわたる多数のクライアントも含み、この場合、ネットワークはインターネット等の広域ネットワークである。
【００６４】
電源
本発明のいくつかの態様は電源に関する。上述したように、多くの従来の電源設計は多くの場合、あまり空間効率的ではない。電源は、複数の電子構成要素を含むことができ、これらの電子構成要素は能動的構成要素及び受動的構成要素を含むことができる。能動的構成要素は、スイッチ（例えば、双極トランジスタ、電界効果トランジスタ等）、調整器、比較器等の部品を含む。受動的構成要素は、抵抗、インダクタ、コンデンサ等の部品を含む。電子構成要素は通常ＰＣＢに搭載され、ＰＣＢ上のトレースを通して相互接続される。通常、電子構成要素はＰＣＢの片側のみに搭載される。これは、電子産業ではコスト考慮事項から望ましいと見られている。いくつかの場合、受動的構成要素（例えば、小型コンデンサ又は小型抵抗）は往々にして、基板の逆側に配置される。例えば、図３は、全体的に５０で示される電源を示し、ＰＣＢ５２は、ＰＣＢ（又は他の回路基板）の片側５８に搭載された複数の構成要素５４及び５６を有する。構成要素は、能動的構成要素５４及び受動的構成要素５６を含むことができる。構成要素の相互接続はトレース６０（例えば、非導電基板に取り付けられるか、又は堆積した導電材料）により提供される。ＰＣＢは、例えば、複数層のトレース（図示せず）を提供する多層ＰＣＢであることができる。
【００６５】
本発明のいくつかの実施形態による小型化電源を図４に示す。従来の電源とは対照的に、小型化電源７０は、ＰＣＢ７２の両側に配置された能動的構成要素５４を含むことができる。したがって、いくつかの能動的構成要素は、いくつかの実施形態では、互いの真逆に配置することができる。他の実施形態では、能動的構成要素は互いに対向し、部分的に重なり得る。受動的構成要素５６もＰＣＢの片側又は両側に配置することができる。トレース６０及びバイア８０は構成要素を相互接続することができる。
【００６６】
ＰＣＢ７２の両側に構成要素を搭載することにより、いくつかの利点を得ることができる。例えば、構成要素の相互接続距離を低減することができる。例えば、第１の構成要素５４ａ及び第２の構成要素５４ｂを考えると、これらの構成要素は、ＰＣＢの同じ側にある場合、図３に示されるよりも大幅に近くに配置することはできない。例えば、構成要素のサイズ許容差及びピックアンドプレース機のアクセスを可能にするために、いくらかの離間が通常、構成要素間に必要とされる。したがって、第１の構成要素の端子を第２の構成要素の端子に相互接続するトレース６０ａは一般に、構成要素の水平寸法以上の長さを有さなければならない。例えば、約０．６４ｃｍ（約０．２５インチ）の水平長さを有する２つの構成要素を相互接続するには、トレースは少なくとも約０．６４ｃｍ（約０．２５インチ）の長さでなければならない。
【００６７】
対照的に、構成要素５４ａ、５４ｂがＰＣＢ７２の両側に互いに逆に配置される場合、トレース長を大幅に短くすることができる。例えば、構成要素は端子が互いに真逆になり、トレース長を本質的に、構成要素を互いに相互接続するバイア８０ａの長さにする（例えば、パッドにより追加の長さがあり得る）ように配置することができる。したがって、ＰＣＢ７２が約０．１３ｃｍ（約０．０５インチ）の厚さを有する場合、トレース長は約０．１３ｃｍ（約０．０５インチ）の長さである−約１／５の低減。
【００６８】
本発明のいくつかの実施形態において提供されるトレース長の低減は、複数の利点を提供することができる。例えば、理想的な電気相互接続はゼロ抵抗、ゼロ容量、及びゼロインダクタンスを有するが、実際のトレースはいくらかの寄生抵抗、寄生容量、及び寄生インダクタンス（ＲＬＣ）を示す。トレースのＲＬＣは様々なパラメータ（例えば、基板の厚さ、導電材料の厚さ、絶縁基板の誘電率、他のトレースの近さ等）の関数であるが、トレース長への寄生ＲＬＣの大きな依存がある。一般に、寄生ＲＬＣはトレース長に伴って線形に増大する。したがって、トレース長を低減することにより、寄生ＲＬＣを低減することができ、寄生ＲＬＣの低減により、電気接続は理想的な（例えば、ゼロＲＬＣ）相互接続により類似して挙動することができる。いくつかの場合、寄生ＲＬＣの低減には、構成要素値の調整が必要であり得る。例えば、回路設計は特定量のインダクタンスを必要とし得る。片面設計では、この所要インダクタンスは、部分的には構成要素及び部分的にはＰＣＢ５２の寄生インダクタンスにより提供し得る。両面設計では、ＰＣＢ７２により提供される寄生インダクタンスが低減するため、構成要素インダクタンスが低減され得る。別の例として、片面設計では、構成要素値は、寄生ＲＬＣを補償する必要があり得、したがって、両面設計では、寄生ＲＬＣの低減により、構成要素値を低減するか、又は構成要素を全体的になくし得る。
【００６９】
トレース長低減の別の利点は、雑音放射の低減及び雑音の影響の受けやすさの低減である。電気相互接続は、放射性及び非放射性電磁結合の両方を通して雑音を放射し得る。一般に、雑音結合の量は、電磁相互接続が長いほど増大する。例えば、長いトレースほど、互いの間に高い相互容量又はインダクタンスを有し、電磁場を通して高い結合を提供し得る。長いトレースほど、アンテナとして効果的に動作し、伝播する電磁波を通してエネルギーを放射するか、又は隣接するトレースからエネルギーを収集し得る。したがって、トレース長を低減することにより、雑音結合を低減することもできる。
【００７０】
いくつかの場合、両面設計でのトレース長は、トレース長が長い場合には必要な遮蔽をなくすことができる十分に短くすることができる。他の場合、遮蔽により失われる面積を大幅に低減することができる。例えば、図５は、ＰＣＢ７２の両側に搭載された２つの構成要素５４の間の遮蔽接続を示す。遮蔽接続は、２つの構成要素を電気的に接続し、複数の遮蔽構造８４で囲まれた信号導体８２を備える。遮蔽構造は、例えば、接地板に接続するバイア及び／又はトレースを含むことができる。遮蔽構造が全体的に構成要素のフットプリント内に含まれ、したがって、構成要素によりすでに覆われた箇所を超える追加のいかなるＰＣＢ面積も必要ないことが分かる。遮蔽接続は、ピックアップ雑音の影響を特に受けやすい電気接続及び特に雑音を放射しがちの電気接続に使用することができる。図５に示される遮蔽接続は垂直方向にある（信号導体のバイア及び遮蔽構造を使用して）が、遮蔽接続は水平に提供することもでき（信号導体のトレース及び遮蔽構造を使用して）、又は両方の組み合わせを使用して提供することもできる。
【００７１】
トレース長短縮のさらなる利点は、トレースが消費する基板面積量の低減である。この面積は、様々な有利な方法で使用することができる。例えば、トレース幅を増大させることができる。一般に、トレース幅が広いほど、低い抵抗及びインダクタンスを提供することができ、高い電流処理能力が提供される。
【００７２】
電源は、相互接続面を効果的に利用することもできる。例えば、相互接続面は、ＰＣＢ７２の外層又は内層に配置された導電材料の本質的な連続面（例えば、ばか穴を除き、画定された二次元面積範囲にわたって連続する）からなり得る。例えば、接地面を使用して、２つ以上の構成要素の接地端子を一緒に接続することができる。別の例として、電力面を使用して、２つ以上の構成要素の電力端子を一緒に接続することができる。相互接続面は、面に結びつけられた構成要素間に低抵抗且つ低インダクタンスの相互接続を提供するため、有利であり得る。必要な場合、穴をプランに提供して、面に電気的に接続せずに、面を貫通するバイア（例えば、信号相互接続の）の隙間を提供することができる。
【００７３】
いくつかの場合、単一点で互いに相互接続される１つ又は複数の分割面を提供することが有利であり得る。例えば、図６は、ＰＣＢ９２が電源部分９４及び動作回路部分９６を含む電子システムのＰＣＢ設計９０を示す。複数の分割面セクション９８、１００、及び１０２が提供される。分割面は、例えば、切り欠き部分又はエッチング部分を有して分割面を画定するＰＣＢの外層又は内層に配置された導電層であり得る。動作回路は分割面セクション１０２を備え、このセクションは、動作回路の下で連続する（バイアばか穴１０４を除く）。電源部分は２つの分割面セクション９８及び１００を備える。面部分のそれぞれは、単一接続点１０６を介して互いに接続する。複数の分割面の使用は、電源内で生成される雑音を電源内に閉じ込め、電源の雑音の影響を受けやすい部分（例えば、面９８の上下に配置される）を電源の雑音生成部分（例えば、面１００の上下に配置される部分）から分離するために有利であり得る。
【００７４】
コンデンサの量及び種類を最適化することにより、電源のさらなる小型化を得ることができる。コンデンサは電源でいくつかの目的を果たすことができる。コンデンサは、電源のサイクル間に電荷貯蔵を提供することができる（例えば、線形供給では交流電流入力のサイクル又は切り替え電源での切り替えサイクル中）。コンデンサは、エネルギー貯蔵を提供して、サージ電流需要（例えば、発生が早すぎて調整器が応答できない）を満たすこともできる。コンデンサは雑音フィルタリング（例えば、接地への雑音信号の分路）を提供することもできる。通常、電源には、通常の動作条件下で電荷を貯蔵するために必要な量を超える大量の容量が設計される。この過度の容量は、部分的にはコンデンサの有効性を制限する大きなコンデンサの非理想的な応答（例えば、等価直列抵抗）により提供される。
【００７５】
対照的に、種類を混ぜたコンデンサを使用することにより、提供される全静電容量を低減できることが本発明者等により発見されている。例えば、全静電容量要件は、電源により供給される動作回路の要件及び電源の特徴に基づいて決定される。次に、全静電容量要件は、異なる種類のコンデンサに分けることができる。いくつかの小さく、等価直列抵抗（ＥＳＲ）が低いコンデンサを提供することができる。低ＥＳＲコンデンサは、高速負荷変化に素早く応答することができるが、限られた電荷貯蔵能力を提供する。しかし、全静電容量要件の提供にすべて低ＥＳＲコンデンサを使用することは、低ＥＳＲコンデンサのサイズ及びコストにより非実用的である。したがって、より高いＥＳＲを有する追加のコンデンサを提供することができる。ＥＳＲのより高いコンデンサは、応答が遅いが、負荷変動が低ＥＳＲコンデンサの能力を超える場合に応答することができる。したがって、全静電容量要件は、部分的には低ＥＳＲコンデンサ及び部分的には高ＥＳＲコンデンサにより満たすことができる。所望であれば、全静電容量要件を２つ以上の種類のコンデンサに分けることができる。特定の例として、１ファラッドの全静電容量要件を低ＥＳＲコンデンサ１００ミリファラッド、中ＥＳＲコンデンサ４００ミリファラッド、及び高ＥＳＲコンデンサ０．５ファラッドに分けることができる。
【００７６】
全静電容量要件をそのようにして分けることにより、従来の設計と比較して全静電容量を低減することができ、それにより、使用される基板面積の低減が提供される。さらに、すべての中又は高ＥＳＲコンデンサを使用する従来の設計と比較して、必要な全静電容量を一般に低減できることが観測されている。
【００７７】
小型化電源の製造は、図７に示されるフローチャートによるものを含め、任意の適した様式で進めることができる。方法１１０はボックス１１２で開始することができ、電源の設計概略が得られる。例えば、設計概略は技術者が作成することができる。設計概略は、例えば、構成要素の製造業者により提供される基準設計に基づいてもよく、又はカスタマイズされた設計であってもよい。
【００７８】
設計概略は、電源を構成する構成要素を定義する部品リストと、構成要素間の相互接続を定義するネットリストとを含むことができる。設計概略は電子形態であることができる。設計概略は、業界標準ファイル形式等のコンピュータ支援設計（「ＣＡＤ」）システムが使用可能な形態であることができる。
【００７９】
ボックス１１４及び１１６は、複数ののうちの第１及び第２の構成要素の、ＰＣＢの第１及び第２の側での位置を選択することにより、方法１１０を続けることができることを示す。ＰＣＢのレイアウトは、ＣＡＤレイアウトツールを使用して決定することができる。ＣＡＤレイアウトツールを使用して、ＰＣＢ上の構成要素の位置を定義することができる。例えば、電子構成要素のうちの第１の構成要素は、ＰＣＢの第１の側に位置決めし、電子構成要素のうちの第２の構成要素は、ＰＣＢの第２の側に位置決めすることができる。電子構成要素のうちの第２の構成要素の位置は、これより説明するように、電子構成要素の第１の構成要素の位置に関連し得る。
【００８０】
電子構成要素を位置決めする場合、様々な側面を考慮することができる。構成要素は、トレース長を最小化するように、互いに対して位置決めすることができる。トレース長の相対的な重要度も同様に考慮することができ、重要なトレース（例えば、雑音の影響を受けやすいか、又は雑音を放射する可能性がかなり高い相互接続に対応するトレース）を、あまり重要ではないトレースを長くすることを犠牲にして短く保つという妥協がなされる。例えば、感知線は雑音の影響を特に受けやすい傾向を有するため、他のトレースから離すか、又は遮蔽することができる。特定の例として、電源内の回路を感知して、過電流及び過／不足電圧状況を検出することにより、感知線を使用することができる。感知線による雑音ピックアップは、スプリアス検出に繋がり、電源の望ましくない遮断に繋がるおそれがある。
【００８１】
構成要素は、基板の両側に互いに対して位置決めして、バイアに複数の目的を果たさせることができる。例えば、従来の片面ＰＣＢは多くの場合、バイアを含み、ＰＣＢの上側のトレースと下側のトレース（及び存在する場合には中間層のトレース）の間に接続を提供する。小型化電源では、構成要素をＰＣＢの逆側に位置決めして、バイアに複数の目的を果たさせることもできる。例えば、上側のトレースを下側のトレースに接続するために使用されるバイアは、下側の部分に接続するために使用することもできる。
【００８２】
部品を第１の側に対して第２の側に位置決めする場合、部品の位置の配慮は、排他的に相互接続長に焦点を合わせる必要はない。例えば、雑音の影響を受けやすい構成要素は、雑音生成構成要素から離すことができる。
【００８３】
小型化電源をレイアウトする場合、位置の選択は、三次元位置決めタスクとして見ることができる。換言すれば、構成要素の位置は、Ｘ、Ｙ、及びＺ寸法で定義することができ、Ｘ及びＹはＰＣＢの横寸法に対応し（ＰＣＢにより定義される平面内、例えば、「左／右」）に対応し、Ｚ寸法はＰＣＢでの垂直寸法（ＰＣＢにより定義される平面に垂直、例えば、「上」及び「下」）に対応する。位置は、ＰＣＢでの基準点に対して定義することができる。これは、単にＸ及びＹ寸法で位置決めする従来の片面ＰＣＢ設計とは対照的である。
【００８４】
構成要素が位置決めされると、ボックス１１８は、相互接続を定義できることを示す。例えば、相互接続は、パッド（構成要素の端子への電気接続のため）、トレース、及びバイアを含むことができる。パッド、トレース、及びバイアの位置は、基準点に対して定義することができる。相互接続の配線は、例えば、自動配線ツールを使用して実行することができる。パッド、トレース、及びバイアの位置を定義するＰＣＢレイアウトは、ＣＡＤシステムから電子形態で提供することができる。例えば、ＰＣＢレイアウトは、ＰＣＢの組み立てに使用可能な業界標準形式で定義することができる。ＰＣＢは、ＰＣＢレイアウトに従って組み立てることができる。ボックス１２０に示されるように、電源は、構成要素をＰＣＢに搭載して電気的に接続することにより、組み立てられたＰＣＢから構築することができる。
【００８５】
本発明のいくつかの実施形態による小型化電源は、消費面積の低減において利点を提供する。例えば、いくつかの実施形態では、ＰＣＢ面積は、従来の片面設計での約１０．２ｃｍ２（約４平方インチ）から、両面設計での約２．５ｃｍ２（約１平方インチ）に低減した。
【００８６】
驚くことに、性能向上での追加の利点も、いくつかの実施形態において観測された。例えば、トレース長の低減及びトレース間の相互作用の低減により、向上した雑音性能が観測された。特に、小型化電源の調整及び出力雑音の安定性は、従来の片面ＰＣＢ設計と比較して大幅に向上することが観測された。一般に、スペース及び性能の向上した効率は、ＰＣＢの両面に能動的部品を配置することに関連する追加の製造（及び修理）コストを相殺するのに十分であり得る。
【００８７】
これより理解されるように、本開示による小型化電源は、面積効率がより高い高性能電源を提供するのに役立ち得る。そのような電源は、コンパクト計算システム、埋め込みコンピュータ、ラップトップコンピュータ、及び同様の用途等の面積が制限される用途でとくに有用であり得る。
【００８８】
したがって、本明細書において考察するように、本発明の少なくともいくつかの態様は電源を小型化する技法を含む。特に、本発明の少なくともいくつかの態様は、ＰＣＢの面積利用を効率的にする小型化電源に関する。
【００８９】
メモリ
本発明のいくつかの態様は、コンピュータ装置又はシステムでのメモリ性能を最適化するシステム及び方法に関する。さらに、本発明のいくつかの態様は、回路基板上のメモリレイアウトを小型化し最適化するシステム及び方法に関する。
【００９０】
メモリコントローラ１３２と、１組８つのメモリ素子１３４、１３６、１３８、１４０、１４２、１４４、１４６、及び１４８（Ｍ１〜Ｍ８とも記される）とを有するメモリシステム１３０のＰＣＢレイアウトを示す図８をこれより参照する。８つのメモリ素子のそれぞれは、ＰＣＢ１５０にはんだ付けされるか、又は他の様式で電気的に直接結合される。４つのメモリ素子Ｍ１、Ｍ３、Ｍ５、及びＭ７はＰＣＢ１５０ａの上面にはんだ付けされ、４つの他のメモリ素子Ｍ２、Ｍ４、Ｍ６、及びＭ８は下面１５０ｂにはんだ付けされる（直接示されない）（これらの素子は、ＰＣＢ１５０の下面１５０ｂにあることを表すために点線で示される）。この直接接続は、１つ又は複数の接続スロットを有するＤＩＭＭを有する特定の従来のメモリ接続とは異なる。それらの素子では、メモリはメモリカードにはんだ付けされ、メモリカードがＤＩＭＭに挿入された。したがって、代表的な実施形態は、この間接的な接続をなくし、それにより、ＤＩＭＭ及び対応する回路の必要性がなくなる。
【００９１】
ＤＩＭＭを除去することにより、メモリ素子をメモリコントローラ１３２のはるかに近傍に配置することができる。したがって、少なくともいくつかの実施形態では、各メモリ素子の部分は、メモリコントローラ１５２から約６．４ｃｍ（約２．５インチ）以下の距離１５２以内に配置される。この距離１５２により、メモリシステムをハンドヘルドコンピュータシステム及び小型コンピュータシステム等のよりコンパクトな装置に配置できるようにする、よりコンパクトで最適化されたＰＣＢレイアウトが可能である。さらに、いくつかの実施形態では、メモリ素子全体は、メモリコントローラ１３２から約６．４ｃｍ（約２．５インチ）以下の距離１５４以内に配置される。
【００９２】
述べたように、メモリ素子Ｍ１〜Ｍ８はＰＣＢに直接はんだ付けされる。はんだ付けされたメモリ素子は、ＤＩＭＭソケットよりも強化された耐衝撃性及び耐ショック性を有し、したがって、より厳しい環境に組み込むことができるロックタイトシステムを提供しながら、装置故障の可能性を低減する。メモリが、ＤＩＭＭスロットに挿入されるメモリカードにはんだ付けされる場合、メモリカードとスロットの接続は弱く、コンピュータシステム全体の多用途性を低減する。したがって、はんだ付けされたメモリ素子を有する本システムでは、大きな衝撃に耐えるとともに、オートモバイルコンピュータシステム等の従来のデスクトップコンピュータシステムよりも厳しい環境に耐えるように設計されたコンピュータ装置又はシステムにＰＣＢ全体を組み込むことができる。
【００９３】
物理的な強度及び最適化されたレイアウトに加えて、はんだ付けされたメモリ素子は、スケーラブルメモリシステムの不確実性を除去する。メモリ素子Ｍ１〜Ｍ８をＰＣＢ１５０に固定することにより、システム設計者はメモリ素子性能を最適化することができ、メモリ素子をより高いレベルで実行させ、したがって、コストを増大せずにシステム性能が増大する。
【００９４】
さらに、メモリ素子コストが下がりつつあるという最近の傾向に鑑みて、少なくともいくつかの実施形態では、ＤＩＭＭコネクタソケットを使用してメモリ拡張性を提供するのではなく、ＰＤＢで使用可能な最大メモリを増大することが経済的に実現可能である。少なくともいくつかの実施形態では、今では、ホストコンピュータシステムが直接使用可能な予測可能な最大システムメモリを装置にまず設置することが実現可能である。これにより、拡張可能なＤＩＭＭ、そのような部品のコスト、そのような部品のサイズ、並びに対応する設計不確実性の必要がなくなる。
【００９５】
引き続き図８を参照すると、代表的な実施形態では、システム１３０は、メモリコントローラ１３２の近傍でＰＣＢ１５０に直接はんだ付けされた複数のメモリ素子を含む。いくつかの実施形態では、メモリ素子は、ＰＣＢ１５０の上面１５０ａ及び下面１５０ｂの両方に配置されて、ＰＣＢスペースを最大化する。したがって、いくつかの実施形態では、ＰＣＢの上面１５０ａのメモリ素子は、下面１５０ｂにあるメモリ素子の真上にある。他の実施形態では、上面のメモリ素子は、下面のメモリ素子と互い違いになる。示されるように、メモリ素子は直線に配置される。しかし、他の実施形態では、メモリ素子は、複数の線に配置されたメモリコントローラ１３２の周囲に配置された群にクラスタ化され、又はメモリコントローラ１３２の近傍に他の様式で配置される。
【００９６】
いくつかの実施形態では、個々のメモリ素子Ｍ１〜Ｍ８は、組み合わせてパーソナルコンピュータのメインメモリ（「ＲＡＭ」）を形成し得るＤＲＡＭメモリである。ＤＲＡＭは、データの各ビットを集積回路内の別個のコンデンサに記憶するランダムアクセスメモリの一種である。実際のコンデンサは電荷が漏れるため、コンデンサ電荷が周期的にリフレッシュされない限り、情報は最終的には消えていく。このリフレッシュ要件により、ＳＲＡＭ及び他の静的メモリとは対照的なのが動的メモリであり、ＤＲＡＭメモリ素子は非常に小型に製造することができ、ＰＣＢレイアウトの最適化及び小さなＰＣＢフットプリントを可能にする。他の実施形態では、メモリ素子はＳＲＡＭ、ＴＲＡＭ、ＺＲＡＭ、及び／又はＴＴＲＡＭメモリを含む。なお他の実施形態では、システムは、ＥＥＰＲＯＭメモリ又はフラッシュメモリ等の不揮発性メモリ素子を含む。
【００９７】
メモリシステムの必要性に基づいて、個々のメモリ素子Ｍ１〜Ｍ８は様々な記憶容量を有する。いくつかの実施形態では、個々のメモリ素子は１２８ＭＢ、２５６ＭＢ、５１２ＭＢ、１ＧＢ等の記憶容量を有する。さらに、図８は８つのメモリ素子を示すが、より多数又は少数のメモリ素子をシステムに含むことができる。例えば、２、３、４、６、１０、又は１１以上のメモリ素子をシステムに含むことができる。
【００９８】
図８のメモリシステム１３０は、メモリコントローラ１３２及び／又はコンピュータシステムの他の装置の間に電気接続を形成する線を含む。明確にするために、これらの線は図８に示されない。図９〜図１１は、図８に示されるシステム１３０に組み込み得るシステムデータ線、クロック線、及びアドレス線の代表的な実施形態を示す。これより図９を参照すると、メモリシステム１３０は、１組のデータ線１５６、１５８、１６０、及び１６２を有して示される。当業者に理解されるように、示される各データ線は、１６、３２、６４等の複数のデータ線を表すことができる。各メモリ素子に別個の直接データ線を提供することにより、直列接続で必要とされる、データ線の端部での終端抵抗の必要性がなくなる。さらに、直接接続は、データ線に沿ったトレース抵抗の必要性もなくす。したがって、これらの直接接続は、最小のＰＣＢリアルエステートのみを必要とする。続けて、この構成により、メモリ素子Ｍ１〜Ｍ８は、メモリコントローラ１３２との間で限られたスペースを占めるため、メモリコントローラ１３２の近傍に位置決めすることができる。
【００９９】
個々の直接データ線は、ＤＩＭＭスロットを直列接続し、各線の端部に終端抵抗を必要とするＤＩＭＭデータ線よりも優れた利点を提供する。この構成では、ＤＩＭＭは、ＰＣＢ上により大きなスペースを必要とするとともに、より多数の部品を必要とする。したがって、本システムの実施形態は、これらのスペース要件をなくし、したがって、結果として生成されるシステムのコスト及びサイズの両方を低減する。
【０１００】
これより図１０を参照すると、１組のクロック線（まとめて１６８で示される）が示され、クロック線は、システムクロック１６４と個々のメモリ素子Ｍ１〜Ｍ８との間に電気通信を提供する。図１０は、代表的なクロック線路及び長さを図で示すブロック図である。しかし、本発明の少なくともいくつかの実施形態によれば、図８に示されるように、少なくともいくつかのメモリ素子をＰＣＢの反対側に配置し得るため、図１０がＰＣＢの完全なレイアウトを正確に表していないことが理解されよう。
【０１０１】
クロック信号は、メモリ素子を同期させ、システム全体が適宜、高速で動作できるようにする。したがって、システムクロックからのクロック信号は、各メモリ素子に同時に到着すべきである。したがって、いくつかの実施形態では、システムクロック１６４と個々のメモリ素子（例えば、Ｍ１〜Ｍ８）との間の線の長さは等距離(又はほぼ等距離）である。星形構成１７０及び１７２により、システムクロックからの線を、それぞれが等しい距離を有する複数の線に分割することができる。星形構成１７０及び１７２から先の線は、メモリ素子に接続し、メモリ素子にクロック信号を提供する。星形の中心を、各メモリ素子から等距離のポイントに配置することにより、星形は、同期クロック信号をメモリ素子Ｍ１〜Ｍ８に適宜、正確に送信する。いくつかの実施形態では、星形構成１７０及び１７２のそれぞれは、メモリ素子と並列して終端抵抗１７４及び１７６を含み、適宜機能することを保証する。
【０１０２】
メモリ素子Ｍ１、Ｍ３、Ｍ５、及びＭ７（示されていないＭ２、Ｍ４、Ｍ６、及びＭ８にも）のそれぞれ並びにメモリコントローラ１３２と電気通信するアドレス線１７８を示す図１１をこれより参照する。アドレス線は、メモリ素子を直列接続し、読み書きメモリ動作中、メモリコントローラ１３２とメモリ素子との間に電気信号を提供する。いくつかの実施形態では、終端抵抗１８０は、アドレス線の端部に接続されて、システムの機能を向上させる。
【０１０３】
メモリシステム線、特に、データ線、クロック線、及びアドレス線の配線により、コンパクトで最適化されたメモリシステムレイアウトが可能であり、それにより、いくつかの実施形態では、各メモリ素子をメモリコントローラ１３２の２．５インチ以下以内に配置することができる。さらに、システム線の構成及び向きにより、高度に最適化されたメモリ性能を提供しながら、追加の構成要素に対する要件が低減する。
【０１０４】
これより図１２を参照して、代表的な一実施形態によるメモリシステムを最適化する方法１９０のブロック図を示す。代表的な方法は、少なくとも１つのメモリ素子を回路基板の上面に配置することを提供する（ボックス１０２において）。さらに、ボックス１９４は、方法が、少なくとも１つのメモリ素子が回路基板の下面に配置されることに続き得ることを示す。ボックス１９６において、図１２は、次に、メモリ素子を回路基板に直接はんだ付けすることを示す。いくつかの実施形態では、メモリ素子は、メモリコントローラから６．４ｃｍ（２．５インチ）以下の箇所に配置される。いくつかの実施形態では、はんだ付けは、メモリ素子のうちの少なくとも１つを下面に配置しながら、メモリ素子のうちの少なくとも１つをＰＣＢの上面に配置することを含む。方法１９０（ボックス１９８に示される）は、別個のデータ線を介して各メモリ素子をメモリコントローラに電子的に結合することをさらに提供する。最後に、ボックス２００は、方法１９０が複数の等距離クロック線を介して各メモリ素子をシステムクロックに電子的に結合することを提供することを示す。
【０１０５】
したがって、本発明の実施形態は、コンピュータ回路基板レイアウトに関する。特に、本発明の少なくともいくつかの態様は、コンピュータ装置又はシステムでのメモリ性能を最適化するシステム及び方法に関する。さらに、本発明の少なくともいくつかの態様は、回路基板上のメモリレイアウトを小型化し最適化するシステム及び方法に関する。
【０１０６】
ＩＣコネクタ
本発明のいくつかの態様はＩＣコネクタに関する。特に、本発明のいくつかの態様は、ＩＣ（例えば、ＣＰＵ）を回路基板(例えば、ＰＣＢ）に取り付けることができるＰＧＡ−ＢＧＡアダプタに関する。記載されるＰＧＡ−ＢＧＡアダプタは、はんだＢＧＡを使用して、ＰＧＡを備えたＩＣ素子を回路基板に電気的且つ物理的に接続できるようにする任意の適した構成要素を備えることができる。非限定的な例として、図１３は、ＰＧＡ−ＢＧＡアダプタ２１０がケース２１２と、機械加工ピンソケット２１６の配列２１４とを備える代表的な実施形態を示す。記載されるアダプタのよりよい理解を提供するために、上述した各構成要素について以下により詳細に説明する。
【０１０７】
ケース２１２に関して、ケースは、ピンソケットがピンを集積回路から回路基板に電気的に接続できるようにピンソケットを収容しながら、機械加工ピンソケット２１６を絶縁できるようにする任意の適した特徴を備えることができる。非限定的な一例では、図１３及び図１４は、ケース２１２が第１の表面２１８及び第２の表面２２０（図１４に示される）を備える実施形態を示す。他の非限定的な例では、図１３及び図１４は、ケースの第１の表面２１８及び第２の表面２２０がほぼ平坦であり、互いにほぼ平行して延びることを示す。
【０１０８】
ケース２１２は任意の適したサイズであることができるが、いくつかの非限定的な実施形態では、ケースは、対応するＩＣ（例えば、ＣＰＵ）のフットプリントとほぼ同様のサイズのフットプリントを回路基板上に有するように構成される。したがって、レバー及びロック機構を収容するために比較的大きなフットプリントを有するいくつかの従来のＣＰＵソケットとは異なり、記載されるＰＧＡ−ＢＧＡアダプタ２１０のいくつかの非限定的な実施形態は、回路基板上でわずかなリアルエステートを有するか、又はアダプタなしで取り付けられるＣＰＵよりも大きな回路基板上のリアルエステートを有さないように構成される。
【０１０９】
ケース２１２は、任意の適した厚さであることができる。この点に関して、いくつかの非限定的な実施形態では、ケースの第１の表面２１８と第２の表面２２０との距離Ｄ１は、約１ｍｍ、約２ｍｍ、約３ｍｍ、及び約４ｍｍから選択される距離ほどわずかである。同様に、いくつかの非限定的な実施形態では、ケースは、約５ｍｍ、約６ｍｍ、約８ｍｍ、及び約１０ｍｍという大きな距離Ｄ１から選択される厚さを有する。実際には、いくつかの非限定的な実施形態では、ケースは、従来のガラス繊維回路基板の約１．２倍〜約３倍の厚さである。例えば、いくつかの非限定的な実施形態では、ケースは、従来のガラス繊維回路基板の厚さの約２±０．５倍の厚さを有する。
【０１１０】
上述した特徴に加えて、ケース２１２は、意図されるように機能可能な任意の適した材料で製造することができる。非限定的な一例では、ケースは、アダプタが、アダプタを備えた回路基板が使用される場合に生じる振動又は機械的ショット等の機械的応力に曝された場合、アダプタ２１０内での曲がりを低減し、且つ／又は回避するように構成された剛性材料を含む。別の非限定的な例では、ケースは、個々のピンソケット２１６を互いに電気的に絶縁可能な材料を含む。この点に関して、ケースに適した材料のいくつかの例としては、剛性且つ絶縁式のガラス繊維、プラスチック、セラミック、ポリマー、及び／又は他の同様の材料が挙げられるが、これらに限定されない。
【０１１１】
これより機械加工ピンソケット２１６の配列２１４を参照すると、ＰＧＡ−ＢＧＡアダプタ２１０は、任意の適した数のピンソケットを備えることができる。実際には、いくつかの非限定的な実施形態では、アダプタは、配列に配置された４本という少数のピンソケットを備え、他の非限定的な実施形態では、アダプタは１，０００を超えるピンソケットを備える。しかし、非限定的な一例によれば、図１３は、アダプタ２１０が９４０のピンソケット２１６を備える実施形態を示す。
【０１１２】
配列２１４内の個々の機械加工ピンソケット２１６は、任意の適した特徴を有することができる。非限定的な一例では、図１３及び図１５は、いくつかの実施形態では、ピンソケット２１６が中空であり、樽のような外観を有することを示す。この例での機械加工ピンソケットは任意の適した形状（限定ではなく、円筒形、管形、三角形、矩形、多角形、不規則形、又は他の既知若しくは新規の形状を含む）を有することができるが、図１５は、機械加工ピンソケット２１６が円筒形を有する非限定的な実施形態を示す。
【０１１３】
機械加工ピンソケット２１６の適した特徴の別の非限定的な例では、図１５は、ピンソケット２１６が、ケースの第１の表面２１８又は表面２１８に隣接して配置されるピンレセプタクル開口部２２２を画定することを示す。したがって、ピンソケットは、集積回路のＰＧＡからピン（図示せず）を受けるように構成される。
【０１１４】
別の非限定的な例では、配列２１４内の機械加工ピンソケット２１６のピンレセプタクル開口部２２２は、ケースの第１の側２１８において互いにほぼ同一の平面にある。このようにして、アダプタ２１０は、集積回路をアダプタに均一に着座できるように構成される。
【０１１５】
さらに別の非限定的な例では、図１５は、機械加工ピンソケット２１６の近位端部２２４がはんだ玉２２８を備えることを示す。この例でのはんだ玉は、任意の適した目的を果たすことができるが、いくつかの場合では、はんだ玉は、ピンソケット（及びピンソケット内に配置される任意のＩＣピン）を回路基板に電気的に且つ／又は物理的に取り付けるために使用される。
【０１１６】
さらに別の非限定的な例では、図１５は、いくつかの実施形態では、機械加工ピンソケット２１６が少なくとも１つのフィンガ接点２３０を備えることを示す。この例では、フィンガ接点は、集積回路素子のＰＧＡからのピンの電気接触、物理的捕捉、及び／又は直線化を含むが、これららに限定されない任意の適した機能を果たすことができる。
【０１１７】
機械加工ピンソケット２１６が接点フィンガ２３０を備える場合、ピンソケットは任意の適した数のフィンガ接点を備えることができる。例えば、いくつかの実施形態では、機械加工ピンソケットは、２、３、４、５、６、７、８、又は９以上のフィンガ接点を備える。実際には、いくつかの実施形態では、機械加工ピンソケットは６つの接点フィンガを備える。
【０１１８】
機械ピンソケット２１６が２つ以上の接点フィンガを備える場合、複数のフィンガは任意の適した目的を果たすことができる。非限定的な一例では、１つ又は複数のフィンガ接点が破損するか、又は他の様式で集積回路ピンからのピンとの接触を失う場合、１つ又は複数の他の接点フィンガは、そのピンとの電気的接触を維持するように構成される。別の非限定的な例では、ソケットに配置されるフィンガ接点が多いほど、ソケットとソケット内部に配置されるピンとの物理的な接続が強くなる。
【０１１９】
機械加工ピンソケット２１６が少なくとも１つの接点フィンガ２３０を備える場合、接点フィンガは任意の適した特徴を有することができる。非限定的な一例では、接点フィンガは弾性を有する。別の非限定的な例では、接点フィンガは、弓形、直線、円形、先細り、又は他の既知若しくは新規のフィンガ接点形状を含むが、これらに限定されない任意の適した形状を有することができる。さらに別の非限定的な例では、接点フィンガは、フィンガをピンソケット内に配置された集積回路ピンに電気的且つ物理的に接続できるようにする機械加工ピンソケット内部の任意の適した位置に配置することができる。
【０１２０】
上述した特徴に加えて、各機械加工ピンソケット２１６は、任意の他の適した特徴を備えることができる。非限定的な例として、各ピンソケットは、銅、金、真鍮、白金、銀、及び／又はインタポーザが意図される目的を果たすことを可能にする任意の他の材料を含むが、これらに限定されない任意の適した導電材料を含むことができる。
【０１２１】
別の非限定的な例では、機械加工ピンソケット２１６は、任意の適したパターンでケース２１２に配置することができる。例示として、図１６は、少なくとも１つの実施形態において、ＣＰＵ（図示せず）が適切な向きでのみアダプタ２１０に取り付けることができるように、機械加工ピンソケット２１６の配列２１４が適合されることを示す。
【０１２２】
上述したように、ＰＧＡ−ＢＧＡアダプタ２１０は、使用を有利にする様々な特徴を備える。そのような特徴の非限定的な一例では、記載されるアダプタのいくつかの実施形態は、回路基板上でわずかなリアルエステートを必要とするか、又はアダプタなしのＣＰＵ（アダプタを介して基板に取り付けられるように構成される）で必要とされるよりも多くのリアルエステートを回路基板上で必要としないフットプリントを有する。
【０１２３】
別の非限定的な例では、アダプタ２１０は集積回路を受けるように構成されるため、アダプタは回路基板にはんだ付けされるか、又は他の様式で接続することができ、ＣＰＵ又は他の集積回路を後にアダプタに接続することができる。その結果、アダプタを備える回路基板は最初にＣＰＵを設置しておく必要がない。したがって、ＰＣＢ及びＣＰＵを別個に販売することができる。同様に、記載されるアダプタは、ＣＰＵをアダプタに取り付けずに回路基板に取り付けられるように構成されるため、製造業者は回路基板及びＣＰＵを購入することができ、特定の注文がなされた場合に互いを取り付けるだけでいい。
【０１２４】
別の例では、アダプタ２１０は、基板を貫通するＰＧＡの使用とは対照的に、ＢＧＡを使用して回路基板２３２（図１６参照）に接続することができるため、アダプタは、電気回路（例えば、インタポーザ又はＩＣに電気的に直接接続されない回路）を、アダプタの真逆に配置された回路基板の部分に配置できるようにする。
【０１２５】
さらに別の例では、記載されるアダプタのいくつかの実施形態は、接点フィンガと集積回路からのピンとの間に圧力を使用して、回路を回路基板に取り付けるように構成され（集積回路を基板に直接はんだ付けするのとは対照的に）、集積回路は回路基板から選択的に着脱可能である。
【０１２６】
したがって、本明細書で考察されるように、本発明の少なくともいくつかの態様は、ＩＣ素子を回路基板に取り付けるシステム及び方法を含む。特に、本発明の少なくともいくつかの態様は、ＢＧＡを備え、回路基板に電気的且つ物理的に取り付けられるように構成されたアダプタを使用して、ピン配列を備えるＩＣを回路基板に取り付けるシステム及び方法に関する。
【０１２７】
論理チップ／ＬＥＤ接続
上述したように、本発明の少なくともいくつかの態様はＬＥＤ回路に関する。実際には、本発明のいくつかの実施形態は、ＬＥＤがＬＥＤの構成要素材料によって決まる別個の各色を、ユーザが望む情報又はユーザにより定義される状態の視覚的表現又は表示として発することが可能なように電気的に接続された２色ＬＥＤ又は３色ＬＥＤ等の少なくとも１つのマルチカラーＬＥＤに関連して行われる。少なくとも１つの実施形態では、２色ＬＥＤ電気インジケータシステムは２色ＬＥＤを含む。そのような実施形態では、ＬＥＤは２つの色：一方向での電流の流れによる第１の色及び逆方向での電流の流れによる第２の色を発することが可能である。すべてのダイオードと同様に、２色ＬＥＤは２つのリード又は電気端子を含む。しかし、電流が一方向に流れる場合、適切なダイオードに対して、一方のリードは陰極として挙動し、その間、他方のリードは陽極として挙動する。電流が逆になると、他方のダイオードに対して、前は陰極であったリードは陽極として挙動し、前は陽極であったリードは陰極として挙動する。
【０１２８】
２色ＬＥＤに加えて、上記システムのいくつかの実施態様は、電気接地出力を提供する第１の電気線を含む。そのような実施態様では、出力は通常、単一の独立した単色ＬＥＤのみに接続され、アクティブ化させることが意図される。しかし、第１の電気線は、２色ＬＥＤの一方のリード及びプルアップ抵抗に接続される。プルアップ抵抗は、２色ＬＥＤの２つの可能な色のうちの一方をアクティブ化させるのに適切な方向での電流の流れを提供する。
【０１２９】
最後に、上記システムのいくつかの実施形態は、上述した第１の出力と同様の電気接地出力を提供する第２の電気線も含む。同様にして、第２の電気線は、２色ＬＥＤの他方のリード及び別のプルアップ抵抗に接続される。プルアップ抵抗は、２色ＬＥＤの２つの可能な色のうちの他方をアクティブ化させるのに適切な方向での電流の流れを提供する。このようにして、２色ＬＥＤの２つの別個の色を両方とも、適切な電気出力又は信号に従って別個の時間にアクティブ化させることができる。
【０１３０】
これより図１７を参照して、マルチカラーＬＥＤ電気インジケータシステム２４０の代表的な実施形態を示す。示される実施形態では、システム２４０はマルチカラーＬＥＤ２４２が、ＬＥＤ２４２の構成要素材料及び構造によって決まる別個の各色を、ユーザが望む情報又はユーザにより定義される状態の視覚的表現又は表示として発することが可能なように構成される。一般に、システム２４０は新規のＬＥＤ回路である。システム２４０のいくつかの実施形態は、以下の構成要素：論理素子２４４、個々の内部半導体ダイ２４２ａ、２４２ｂ、・・・、２４２ｎを有するマルチカラーＬＥＤ２４２、論理ピン２４４ａ、２４４ｂ、２４４ｃ、２４４ｄ、・・・、２４４ｎ、電気線又はワイヤ２４６、２４８、及び抵抗２５０、２５２を含み、各構成要素についてさらに詳細に以下において考察する。
【０１３１】
引き続き図１７を参照して、論理素子２４４の代表的な実施形態を提供する。一般に、論理素子２４４は、既知のデータ又は情報に基づいて論理出力を送信するが、電流を調達することができない。基礎となる既知のデータ又は情報は、事前に論理素子２４４をプログラムし、物理的なシステム要素若しくは構成に基づいて必要な情報を論理素子２４４に送信することを介して、又はソフトウェア実装手段を通して提供することができる。いくつかの実施形態では、論理素子２４４は、例として、Ｍａｒｖｅｌｌ  Ｓｅｍｉｃｏｎｄｕｃｔｏｒ  Ｉｎｃ．製等のＥｔｈｅｒｎｅｔ（登録商標）論理チップ又は他のコンピュータ論理チップであることができる。他の実施形態では、論理素子２４４は代替の電気素子を含み得る。
【０１３２】
論理素子２４４は、電気信号の形態で論理ピン２４４ａ、２４４ｂ、２４４ｃ、２４４ｄ、・・・、２４４ｎを通して対応する論理出力を送信する。論理素子２４４は、１つという少数の論理ピン２４４ａを有することができ、又は理論上、論理素子２４４は２４４ｎで表される無限数の論理ピンを有することができる。各論理ピン２４４ａ〜ｎには、上述したように論理素子２４４にとって既知であり、論理素子２４４により送信される一意の情報に基づいて、一意の電気信号が関連付けられる。このようにして、論理素子２４４を介してエンドユーザに提供されるデータは、高度にカスタマイズ可能であり、多様性を有する。非限定的な例として、Ｅｔｈｅｒｎｅｔ（登録商標）チップ２４４は以下のピンを含み得る：ＡＣＴ、リンク、デュプレックス、速度（すなわち、１０ＭＢ、１００ＭＢ、１０００ＭＢ等）等。上述した各ピンは、各ピンの対応するタイトル又はラベルに関連する任意所与の時間に、Ｅｔｈｅｒｎｅｔ（登録商標）チップ２４４に既知のデータを送信するタスクを有する。
【０１３３】
論理ピン２４４ａ〜ｎの状態は高インピーダンスであるため、上述したように、論理ピン２４４ａ〜ｎは各自に電力を提供しない。むしろ、論理ピン２４４ａ〜ｎは、論理素子２４４が特定の情報を受信し、それに対応してその特定の情報を送信する際、ローになる。データが既知ではないか、又は利用可能ではない場合、対応するピンは単にフロートする。言い換えれば、論理素子２４４は、各論理ピン２４４ａ〜ｎに関連付けられた線をローにプルすることしかできず、ローにプルしない場合、線は浮上する。例えば、仮にコンピュータシステムが１００ＭｂのＥｔｈｅｒｎｅｔ（登録商標）速度能力を有するが、１０００Ｍｂではない場合、１００Ｍｂピンがローになるか、又は他の様式で接地される間、１０００Ｍｂピンは単にフロートする。仮に１００Ｍｂピンが単色ＬＥＤに適宜接続された場合、単色ＬＥＤは点灯して、１００Ｍｂ速度を示す。適切な電気信号を送信するために、すべてのピン２４４ａ〜ｎがローになるため、２つの別個のピンは対応する２色ＬＥＤの２つのＬＥＤ端子のみに単に接続することはできず、その理由は、いずれのピンも電力を提供せず、したがって２色ＬＥＤが決してアクティブ化しないためである。したがって、本発明によれば、より詳細に後述するように、そのような接続に役立つように、抵抗２５０及び２５２が必要である。
【０１３４】
引き続き図１７を参照して、マルチカラーＬＥＤ２４２の代表的な実施形態を提供する。ＬＥＤは１つという少数の内部半導体ダイ２４２ａを有することができるが、そのようなＬＥＤは必ずしも単色である必要はない。したがって、ＬＥＤ２４２は、最低２つの内部半導体ダイ２４２ａ及び２４２ｂを有して示され、各内部半導体ダイは、ＬＥＤが最低で２つの別個の色を送信可能なように、異なる半導体材料から製造されるか、又は異なる不純物がドープされる。しかし、ＬＥＤ２４２は、「２４２ｎ」で表される追加の内部半導体ダイを含むこともできる。或いは、ＬＥＤ２４２は、多色の外観になるように操作することができる。例えば、２色ＬＥＤを４つの機能アクティブ化間で切り替えることができる：オフ、所与の時間長にわたって一方のダイオードが独立してアクティブ化し、それにより、１つの別個の色をその時間長にわたって生成、所与の時間長にわたって他方のダイオードが独立してアクティブ化し、それにより、他方の別個の色をその時間長にわたって生成、又は十分な頻度で２色を交互にして、混合された第３の色の外観にする。例えば、このようにして動作する赤／緑ＬＥＤは混色されて、黄色の外観を生み出す。本発明は、所望の物理的表示を生み出すのに適切な性質及び／又は特徴を有する任意のマルチカラーＬＥＤの使用及び製造を意図する。
【０１３５】
手短に上述したように、２色ＬＥＤは実際には、１つのケース又はレンズ内に収容された２つの異なるＬＥＤである。ＬＥＤは、互いに逆平行する同じ２本のリードに接続された２つのダイオードからなる。一方向での電流の流れは１色を生成し、逆方向での電流の流れは他方の色を生成する。３色ＬＥＤは、１ケース内の２つのＬＥＤであるが、２つのＬＥＤは別個のリードに接続され、それにより、２つのＬＥＤを独立して制御し、同時に照明することができる。３リード構成は、１つの共通リード（陽極又は陰極）を有することが典型的である。そのようなＬＥＤが第３の色を生成可能なのは、単に２色を十分な頻度で交互にすることによるものではなく、むしろ、２色が同時に生成され、それにより、常に混色された第３の色が生成される。
【０１３６】
いくつかの実施形態では、ＬＥＤ２４２は、意図される使用に適した任意の適切な色又は機能を有する任意の適切なＬＥＤであることができる。例えば。ＬＥＤは小型ＬＥＤ、高出力ＬＥＤ、中型ＬＥＤ、又は他の特定用途向けの変形であり得る。同様に、ＬＥＤ１０４は標準ＬＥＤ、有機ＬＥＤ（「ＯＬＥＤ」）、量子ドットＬＥＤ、拡散レンズＬＥＤ、又は意図される使用に適した任意の他の種類のＬＥＤであることができる。同様に、ＬＥＤは意図される使用に適した任意の形状及びサイズに構成することもできる。
【０１３７】
さらに、様々な実施形態では、ＬＥＤ２４２は、所望の波長（色）を生成できるように、任意の適した内部半導体材料又は適した不純物をドープした材料を含むことができる。例えば、ガリウムヒ素（ＧａＡｓ）又はアルミニウムガリウムヒ素（ＡｌＧｓＡｓ）半導体材料を使用して赤外線を生成することができ、アルミニウムガリウムヒ素（ＡｌＧｓＡｓ）、ガリウムヒ素リン（ＧａＡｓＰ）、アルミニウムガリウムインジウムリン（ＡｌＧａＩｎＰ）、又はガリウム（ＩＩＩ）リン（ＧａＰ）半導体材料を使用して赤を生成することができ、当業者には既知のように、半導体材料を変更することにより、橙、黄、緑、青、スミレ、紫、紫外線、及び白等の他の別個の色を生成することができる。異なる波長（色）は、当業者には既知のように、動作のために異なる電圧パラメータも必要とする。
【０１３８】
いくつかの実施形態では、ＬＥＤ２４２の色は、上述したように、ＬＥＤに使用される半導体材料のみから導出される。そのような実施形態では、レンズ２５４はクリアであるか、又は追加の色を有さない透明であることができる。他の実施形態では、半導体ダイは有色レンズ２５４に組み込まれるか、又は収容される。レンズ２５４は、エポキシ、樹脂、プラスチック、又は他の適したポリマーベースの材料から作ることができる。レンズ２５４は、ＬＥＤ２４２が最終的に、意図される用途に適する多様な範囲の色のうちの任意の色として見ることができるように、製造プロセス中に着色することができる。このようにして、標準化された色を一般に、特定の情報に関連付けることができ、それにより、ＬＥＤの単なる色を観察することで、ユーザは、関連付けられた電気素子についての情報を象徴的に導出することができる。他の実施形態では、ＬＥＤ２４２の色を視覚的に変更し、又はさらには望ましい場合に阻止することができるように、キャップ（図示せず）をレンズ２５４の上に配置することができる。
【０１３９】
加えて、いくつかの実施形態では、ＬＥＤ２４２は、ＬＥＤに典型的な１秒期間で点滅させるマルチバイブレータ集積回路を有する専用点滅ＬＥＤであることができる。しかし、データの増大若しくは低減を反映するように、他の情報を反映するように、又は単に所望の間隔で点滅するように、点滅期間は変更可能であり得る。そのような点滅ＬＥＤは単色光を発することができるが、本発明は、複数の色で点滅し、混色を使用して色順を通して消えることができる点滅ＬＥＤも意図する。さらに、そのような点滅ＬＥＤは、上述したように、一方又は両方のＬＥＤが点滅可能な機能を追加した２色ＬＥＤであることもできる。
【０１４０】
いくつかの実施形態では、ユーザが光を観測し、それにより、所与の電子素子の状態について通知することができるような可視スペクトル内の光を生成するＬＥＤが望ましく、いくつかの実施形態は、赤外線等の不可視光を生成するＬＥＤを意図する。そのような実施形態では、ＬＥＤは、ユーザの目ではなく電子センサにより観測され、適切な信号をＬＥＤからセンサに送信し、センサで受信し得る。このようにして、例えば、コンピュータを、コンピュータの個々の構成要素又は他の何らかの電子素子の活動及び状態を監視するように、独立してプログラムすることができる。さらに、ソフトウェア実装を通して、メッセージを生成し、コンピュータの構成要素部品の活動又は別の電子素子の活動／状態について知りたいユーザに送信することができる。
【０１４１】
いくつかの実施形態では、ＬＥＤ２４２は単なるインジケータランプである。しかし、他の実施形態では、本発明の方法及びシステムは、照明、動作可能なプリントヘッドの動作、テキスト又はビデオ表示、及びＬＥＤが適する他の照明に基づく機能を含む様々な目的でＬＥＤ２４２をアクティブ化するために使用することができる。そのような実施形態では、無限数のＬＥＤ２４２が意図される。
【０１４２】
引き続き図１７を参照して、電気線又はワイヤ２４６及び２４８の代表的な実施形態を提供する。電気線／ワイヤ２４６及び２４８は、銅、真鍮、クロム、ニッケル、金、又は他の導電性防食材料等の任意の適した材料で構成することができる。同様に、電気線／ワイヤ２４６及び２４８は、上記材料又は適切な性質若しくは特徴を有する他の適した材料の任意の合金で構成することができる。さらに、電気線／ワイヤ２４６及び２４８は、標準電気線等の別個の要素であることができ、ワイヤは当業者に一般的な任意の様式で絶縁される。或いは、電気線／ワイヤ２４６及び２４８は、当業者に既知の方法により、論理素子２４４と、１つ又は複数のＬＥＤインジケータを有するＥｔｈｅｒｎｅｔ（登録商標）ポート等、ＰＣＢ又は他の電気基板等のＬＥＤ２４２を収容する対応する素子との両方に共通のプラットフォームに形成し、又は組み込むことができる。
【０１４３】
引き続き図１７を参照して、抵抗２５０及び２５２の代表的な実施形態を提供する。いくつかの実施形態では、抵抗２５０及び２５２はプルアップ抵抗である。他の実施形態では、抵抗２５０及び２５２はプルダウン抵抗（図示せず）であることができる。プルアップ抵抗の基本的な機能は、他の入力がない場合、線をハイに「プル」することにより、回路がデフォルト値をとることを保証することである。換言すれば、プルアップ抵抗は、線のフロートを回避する。さらに、抵抗の主要な機能は一般に、大きすぎる電流がプルアップ回路を流れないようにすることである。
【０１４４】
プルアップ抵抗（例えば、抵抗２５０及び２５２）は、銅、真鍮、クロム、ニッケル、金、又は他の導電性防食材料等の任意の適した材料で構成することができる。同様に、プルアップ抵抗は、上記材料又は適切な性質若しくは特徴を有する他の適した材料の任意の合金で構成することもできる。
【０１４５】
いくつかの実施形態では、プルアップ抵抗２５０及び２５２は、線上のすべての構成要素が非アクティブの場合、非電圧源ワイヤ２４６及び２４８の電圧を電圧源レベルに「プルアップ」するように、電気線（又はワイヤ）２４６及び２４８に接続される。このようにして、論理ピン２４４ｃ及び２４４ｄが非アクティブの場合、電流は線を流れない。換言すれば、線上の他のすべての終端接続が非アクティブの場合、それらは高インピーダンスであり、切断されているように動作する。構成要素はまるで切断されているかのように動作するため、回路はまるで切断されているかのように動作し、電流はその線上を流れず、非電圧源ワイヤ（線上のすべての構成要素で共通）の電圧は、オームの法則に従って電圧源の電圧になる。言い換えると、線２４６及び２４８が両方ともプルアップされる場合、接地への経路がない。しかし、論理ピン２４４ｃ等の線上の１つの構成要素がアクティブになる（すなわち、論理素子２４４からの信号に基づいて高インピーダンスから低インピーダンスに遷移する）場合、線は接地し、電流が流れる。
【０１４６】
一例では、システム２４０は以下のように動作する。この非限定的な例では、論理ピン２４４ｂは１０ＭｂのＥｔｈｅｒｎｅｔ（登録商標）速度を備え、論理ピン２４４ｃは１００ＭｂのＥｔｈｅｒｎｅｔ（登録商標）速度を備え、論理ピン２４４ｄは１０００ＭｂのＥｔｈｅｒｎｅｔ（登録商標）速度を備える。さらに、この例では、論理素子２４４はＥｔｈｅｒｎｅｔ（登録商標）論理チップを備え、ＬＥＤ２４２は、対応するＥｔｈｅｒｎｅｔ（登録商標）ポート（図示せず）に２色インジケータＬＥＤを備え、これらはすべてＰＣＢ（これも図示せず）に搭載される。
【０１４７】
ＰＣＢが、論理チップ２４４及びＥｔｈｅｒｎｅｔ（登録商標）ポート１００ＭｂＥｔｈｅｒｎｅｔ（登録商標）接続が可能な対応するコンピュータシステムに設置される場合、ピン２４４ｃは、システムの物理的パラメータ及び高インピーダンスから低インピーダンスへの遷移に基づいてアクティブになる。その結果、線２４６は接地し、プルアップ抵抗２５０は、ＬＥＤ２４２ａがオンになるように、電流を第１の方向に流す。いくつかの実施形態では、ＬＥＤ２４２ａは、緑等の１００ＭｂのＥｔｈｅｒｎｅｔ（登録商標）速度に一般に関連付けられた色であり得る。Ｅｔｈｅｒｎｅｔ（登録商標）接続の様々な状態に対応する色は、ユーザに注釈付けることができ、それにより、ユーザは各色が何を表すかを知る。同時に、論理ピン２４４ｄはハイ且つ非アクティブのままである。さらに、プルアップ抵抗２５２及び線２４８は、回路に干渉がないように十分に高いままである。言い換えると、線２４８およびＬＥＤ２４２ｂは、単に非アクティブのままである。手短に上述したように、ＬＥＤ２４２ａは、任意の所望の色、サイズ、形状、又は種類であることができる。さらなるＬＥＤ２４２ａは点滅ＬＥＤであることができる。
【０１４８】
他方、同じＰＣＢが１０００ＭｂのＥｔｈｅｒｎｅｔ（登録商標）接続が可能なシステムに設置される場合、ピン２４４ｄはローになり、ピン２４４ｃはハイのままであり、線２４８は接地し、プルアップ抵抗２５２は、ＬＥＤ２４２ｂがオンになるように、第１の方向とは逆の第２の方向に電流を流す。いくつかの実施形態では、ＬＥＤ２４２ｂは、アンバー等の１０００ＭｂのＥｔｈｅｒｎｅｔ（登録商標）速度に一般に関連付けられた色であり得る。同時に、論理ピン２４４ｃはハイ且つ非アクティブのままであり、プルアップ抵抗２５０及び線２４６は、回路に干渉がないように十分に高いままである。換言すれば、線２４６及びＬＥＤ２４２ａは単に非アクティブなままである。手短に上述したように、ＬＥＤ２４２ｂは、任意の所望の色、サイズ、形状、又は種類であることができる。さらなるＬＥＤ２４２ｂは点滅ＬＥＤであることができる。いくつかの実施形態では、ＬＥＤ２４２ｂは、いくつかの態様ではＬＥＤ２４２ａと同じであることができ、他の態様では異なることができる。例えば、一実施形態では、ＬＥＤ２４２ａは点滅ＬＥＤであってよく、その一方で、ＬＥＤ２４２ｂは点滅ＬＥＤでなくてもよい。別の実施形態では、ＬＥＤ２４２ａ及び２４２ｂは両方とも点滅ＬＥＤであってもよく、又は両方とも点滅ＬＥＤでなくてもよい。多くの利用可能なＬＥＤの任意の変形が可能である。
【０１４９】
同じＰＣＢが１０ＭｂのＥｔｈｅｒｎｅｔ（登録商標）接続しか可能ではないシステムに設置される場合、ピン２４４ｂはローになり、その間、ピン２４４ｃ及び２４４ｄはハイのままである。このようにして、ＬＥＤ２４４ａ及び２４４ｂはいずれもオンにならず、むしろ、ＬＥＤ２４２はオフのままである。このようにして、ＰＣＢが接続されたシステムの制約に応じて３つの別個の速度を単一の単色ＬＥＤで表すことができる。さらに、単一の単色ＬＥＤの駆動を意図される論理ピンは、適切な状況下で、単一の２色ＬＥＤに電気的に接続し、２つの別個の色のうちのいずれかをアクティブ化することができる。
【０１５０】
図１７は１つのみの論理素子２４４及び対応する２色ＬＥＤ２４２を示すが、本発明は、それぞれが１つ又は複数のＬＥＤに接続された１つ又は複数の論理素子を有する無限のそのようなシステムを意図する。したがって、図は決して限定を意図しない。例えば、論理ピン２４４ａ及び２４４ｂは、別の２色ＬＥＤ又は３色ＬＥＤに同時に接続することができる。或いは、論理ピン２４４ｎ〜２４４ｎ＋１（但し、「ｎ」は無限数を表す）は追加のマルチカラーＬＥＤに同時に接続することができる。そのようなすべての接続及びシステムは一緒に動作することもでき、又は互いに独立して動作することもできる。さらに、上述したように、他の実施形態では、本発明の方法及びシステムを使用して、照明、動作可能なプリントヘッドの動作、テキスト又はビデオ表示、及びＬＥＤが適する他の照明に基づく機能を含む様々な目的でＬＥＤ２４２をアクティブ化することができる。そのような実施形態では、無限数のＬＥＤ２４２が意図される。
【０１５１】
さらなる参照として、図１８は、記載されるＬＥＤ回路のいくつかの実施形態のＰＣＢレイアウトの代表的な実施形態を示す。
【０１５２】
したがって、本明細書において考察するように、本発明の少なくともいくつかの態様は、マルチカラーＬＥＤ及びＬＥＤ回路を含む。特に、本発明のいくつかの態様は、単一の単色ＬＥＤのみをアクティブ化することが意図される電気接地出力又は信号を使用して２色ＬＥＤ又は３色ＬＥＤ等の少なくとも１つのマルチカラーＬＥＤのアクティブ化を達成するシステム及び方法に関する。
【０１５３】
さらに、本明細書において考察されるように、少なくともいくつかの本発明の態様は電子システム及び構成要素に関する。特に、本発明の少なくともいくつかの態様は、電源、メモリ、相互接続、及びＬＥＤに関連する小型化技法、システム、及び装置に関する。
【０１５４】
これらの例示は記載される電源、メモリ、ＩＣコネクタ、及びＬＥＤ回路を小型化するとともに、他の様式で改良するシステム、方法、装置、及び技法を説明する能力の単なる代表である。実際には、本発明の例示的な実施形態を本明細書において説明したが、本発明は本明細書に記載される様々な好ましい実施形態に限定されず、むしろ、本開示に基づいて当業者が理解するであろう変更、省略、組み合わせ（例えば、様々な実施形態にわたる態様の）、適合、及び／又は修正を有するありとあらゆる実施形態を含む。
【０１５５】
特許請求の範囲内の限定は、特許請求の範囲に利用される用語に基づいて広く解釈されるべきであり、本明細書に記載される例に限定されず、又は本願の手続き中、これらの例は非排他的であると解釈されるべきである。例えば、本開示では、「好ましくは」という用語は非排他的であり、「好ましくは、〜であるが、〜に限定されない」を意味する。「約」という用語は、厳密である必要がなく、おおよそであり得、且つ／又は所望に応じて、許容可能な許容差、換算率、四捨五入、測定誤差等、及び当業者に既知の他の係数を反映してより大きくても若しくはより小さくてもよい数量、寸法、サイズ、形成、パラメータ、形状、及び他の特徴を意味する。ミーンズプラスファンクション限定又はステッププラスファンクション限定は、特定の請求項限定で、以下の条件のすべてがその限定で提示される場合のみ利用される：ａ）「する手段」が明示的に記載され、且つｂ）対応する機能が明示的に記載される。
【０１５６】
本発明は、趣旨又は本質的な特徴から逸脱せずに他の特定の形態で実施し得る。記載される実施形態は、すべての点で限定ではなく例示として考えられるべきである。したがって、本発明の範囲は、上記説明ではなく添付の特許請求の範囲により示される。特許請求の範囲と均等の意味及び範囲内のすべての変更は、特許請求の範囲内に含まれるべきである。
【図１】
2014505909.tif 000003
【図２】
2014505909.tif 000004
【図３】
2014505909.tif 000005
【図４】
2014505909.tif 000006
【図５】
2014505909.tif 000007
【図６】
2014505909.tif 000008
【図７】
2014505909.tif 000009
【図８】
2014505909.tif 000010
【図９】
2014505909.tif 000011
【図１０】
2014505909.tif 000012
【図１１】
2014505909.tif 000013
【図１２】
2014505909.tif 000014
【図１３】
2014505909.tif 000015
【図１４】
2014505909.tif 000016
【図１５】
2014505909.tif 000017
【図１６】
2014505909.tif 000018
【図１７】
2014505909.tif 000019
【図１８】
2014505909.tif 000020
【国際調査報告】
2014505909.tif 000021
2014505909.tif 000022